(57)【要約】      （修正有）【課題】異なる設計タイプの受電デバイス（ＰＤ）に効率的に電力を供給するパワーオーバイーサネット方法及び装置を提供する。【解決手段】給電機器（ＰＳＥ）は、イーサネット（登録商標）より対線の第１及び第２のセットのケーブルペアの両方が有効なＰＤに接続されていることを検出し、ＰＤからリンク層発見プロトコルデータユニット（ＬＬＤＰＤＵ）を受信する。ＬＬＤＰＤＵは負荷量タイプ−長さ−値（ＴＬＶ）を備え、負荷量ＴＬＶは、ＰＤ負荷量の通知に使用される。ＰＳＥは、ＰＤが第１及び第２のセットのケーブルペアの両方から電力を受け、２つのＰＤインターフェースを備える場合に、負荷量ＴＬＶに従って２つのＰＤ負荷を備えると判定すると、第１のセットのケーブルペアを使用して第１の電力でＰＤに電力を供給し、第２のセットのケーブルペアを使用して第２の電力でＰＤに電力を供給する。【選択図】図５
2016181253.tif 000002
【特許請求の範囲】
【請求項１】
給電機器（ＰＳＥ）によって、イーサネットより対線の第１のセットのケーブルペアと第２のセットのケーブルペアの両方が有効な受電デバイスに接続されていることを検出し、判定するステップと、
前記ＰＳＥによって、受電デバイス（ＰＤ）から第１のリンク層発見プロトコルデータユニット（ＬＬＤＰＤＵ）を受信するステップであって、前記第１のＬＬＤＰＤＵは、負荷量タイプ−長さ−値（ＴＬＶ）を備え、前記負荷量ＴＬＶは、前記ＰＤに含まれるＰＤ負荷の量を通知するのに使用され、前記ＰＤは、前記イーサネットより対線を使用することにより前記ＰＳＥに接続される、ステップと、
前記ＰＳＥは前記ＰＤが前記第１のセットのケーブルペアと前記第２のセットのケーブルペアの両方から電力を受けると判定し、前記ＰＤが２つのＰＤインターフェースを備える場合に、前記ＰＳＥが、前記負荷量ＴＬＶに従って、前記ＰＤが２つのＰＤ負荷を備えると判定したとき、前記ＰＳＥによって、前記第１のセットのケーブルペアを使用することにより第１の電力で前記ＰＤに電力を供給し、前記第２のセットのケーブルペアを使用することにより第２の電力で前記ＰＤに電力を供給するステップであって、前記第１の電力および前記第２の電力は、互いに無関係である、ステップと
を備えることを特徴とするパワーオーバイーサネット方法。
【請求項２】
前記第１のＬＬＤＰＤＵは、電力リクエストＴＬＶをさらに備え、前記電力リクエストＴＬＶは、前記第１のセットのケーブルペアの第１の要求される電力と、前記第２のセットのケーブルペアの第２の要求される電力とを備え、
前記方法は、
前記ＰＳＥによって、前記ＰＤに第２のＬＬＤＰＤＵを送信するステップであって、前記第２のＬＬＤＰＤＵは、電力割当てＴＬＶを備え、前記電力割当てＴＬＶは、前記ＰＳＥによって前記第１のセットのケーブルペアに割り当てられた前記第１の電力と、前記第２のセットのケーブルペアに割り当てられた前記第２の電力とを備える、ステップをさらに備えることを特徴とする請求項１に記載の方法。
【請求項３】
前記ＰＳＥは、前記負荷量ＴＬＶに従って、前記ＰＤが１つのＰＤ負荷だけを備えると判定した場合、前記ＰＳＥによって、前記ＰＤの電力要件情報に従って前記ＰＤに電力を供給するステップをさらに備えることを特徴とする請求項１または２に記載の方法。
【請求項４】
前記第１のＬＬＤＰＤＵは、電力リクエストＴＬＶをさらに備え、前記電力リクエストＴＬＶは、前記第１のセットのケーブルペアの第１の要求される電力と、前記第２のセットのケーブルペアの第２の要求される電力とを備え、
前記ＰＳＥによって、前記ＰＤの電力要件情報に従って前記ＰＤに電力を前記供給するステップは、
前記ＰＳＥによって、前記電力リクエストＴＬＶの中にある前記第１の要求される電力および前記第２の要求される電力に従って前記第１のセットのケーブルペアおよび前記第２のセットのケーブルペアに第３の電力を割り当てるステップと、
前記ＰＳＥによって、前記ＰＤに第３のＬＬＤＰＤＵを送信するステップであって、前記第３のＬＬＤＰＤＵは、電力割当てＴＬＶを備え、前記電力割当てＴＬＶは、前記ＰＳＥによって前記第１のセットのケーブルペアおよび前記第２のセットのケーブルペアに割り当てられた前記第３の電力を備えるステップと、
前記ＰＳＥによって、前記第１のセットのケーブルペアと前記第２のセットのケーブルペアの両方を使用することにより前記第３の電力で前記ＰＤに電力を供給して、前記ＰＤ負荷が、前記第１のセットのケーブルペアと前記第２のセットのケーブルペアの両方を使用することにより電力を獲得するようにするステップとを備えることを特徴とする請求項３に記載の方法。
【請求項５】
前記電力リクエストＴＬＶの中でリクエストされる前記第１の要求される電力と前記第２の要求される電力が異なる場合、
前記第３のＬＬＤＰＤＵは、前記電力リクエストＴＬＶの中でリクエストされた要求される電力の誤りを前記ＰＤに示すのに使用される電力リクエスト誤り指示をさらに備え、
前記第３の電力は、前記電力リクエストＴＬＶの中にある前記第１の要求される電力と前記第２の要求される電力のうちの小さい方の要求される電力であることを特徴とする請求項４に記載の方法。
【請求項６】
前記第１のＬＬＤＰＤＵは、電力リクエストＴＬＶをさらに備え、前記電力リクエストＴＬＶは、前記イーサネットより対線の合計の要求される電力を備え、
前記ＰＳＥによって、前記ＰＤの電力要件情報に従って前記ＰＤに電力を前記供給するステップは、
前記ＰＳＥによって、前記電力リクエストＴＬＶの中の前記合計の要求される電力に従って前記イーサネットより対線に合計の電力を割り当てるステップと、
前記ＰＳＥによって、前記ＰＤに第４のＬＬＤＰＤＵを送信するステップであって、前記第４のＬＬＤＰＤＵは、電力割当てＴＬＶを備え、前記電力割当てＴＬＶは、前記ＰＳＥによって前記イーサネットより対線に割り当てられた前記合計の電力を備える、ステップと、
前記電力リクエストＴＬＶの中の前記合計の要求される電力が、所与の電力値以下である場合、前記ＰＳＥによって、前記第１のセットのケーブルペアだけを使用することにより、もしくは前記第２のセットのケーブルペアだけを使用することにより、または前記第１のセットのケーブルペアと前記第２のセットのケーブルペアの両方を使用することにより前記合計の電力で前記ＰＤに電力を供給して、前記ＰＤ負荷が、前記第１のセットのケーブルペアまたは前記第２のセットのケーブルペアを使用することにより電力を獲得するようにするステップ、または
前記電力リクエストＴＬＶの中の前記合計の要求される電力が、所与の電力値を超えている場合、前記ＰＳＥによって、前記第１のセットのケーブルペアと前記第２のセットのケーブルペアの両方を使用することにより前記合計の電力の半分で前記ＰＤに電力を供給して、前記ＰＤ負荷が、前記第１のセットのケーブルペアと前記第２のセットのケーブルペアの両方を使用することにより電力を獲得するようにするステップを備えることを特徴とする請求項３に記載の方法。
【請求項７】
前記第１のＬＬＤＰＤＵは、電力リクエストＴＬＶをさらに備え、前記電力リクエストＴＬＶは、前記第１のセットのケーブルペアまたは前記第２のセットのケーブルペアの要求される電力を備え、
前記ＰＳＥによって、前記ＰＤの電力要件情報に従って前記ＰＤに電力を前記供給するステップは、
前記ＰＳＥによって、前記電力リクエストＴＬＶの中の前記第１のセットのケーブルペアまたは前記第２のセットのケーブルペアの前記要求される電力に従って前記第１のセットのケーブルペアまたは前記第２のセットのケーブルペアに第４の電力を割り当てるステップと、
前記ＰＳＥによって、前記ＰＤに第５のＬＬＤＰＤＵを送信するステップであって、前記第５のＬＬＤＰＤＵは、電力割当てＴＬＶを備え、前記電力割当てＴＬＶは、前記ＰＳＥによって前記第１のセットのケーブルペアまたは前記第２のセットのケーブルペアに割り当てられた前記第４の電力を備える、ステップと、
前記ＰＳＥによって、前記第１のセットのケーブルペアまたは前記第２のセットのケーブルペアを使用することにより前記第４の電力で前記ＰＤに電力を供給して、前記ＰＤ負荷が、前記第１のセットのケーブルペアまたは前記第２のセットのケーブルペアを使用することにより電力を獲得するようにするステップとを備えることを特徴とする請求項３に記載の方法。
【請求項８】
前記第１のＬＬＤＰＤＵは、受電構成ＴＬＶをさらに備え、前記受電構成ＴＬＶは、前記イーサネットより対線からの電力を前記ＰＤによって受ける構成のステータスを前記ＰＳＥに通知するのに使用され、
相応して、前記方法は、
前記ＰＳＥによって、前記受電構成ＴＬＶに従って、前記ＰＤが前記第１のセットのケーブルペアと前記第２のセットのケーブルペアの両方から電力を受けると判定するステップをさらに備えることを特徴とする請求項１乃至７のいずれか一項に記載の方法。
【請求項９】
前記第１のＬＬＤＰは、インターフェース量ＴＬＶをさらに備え、前記インターフェース量ＴＬＶは、前記ＰＤに含まれるＰＤインターフェースの量について前記ＰＳＥに通知するのに使用され、
相応して、前記方法は、
前記ＰＳＥが、前記ＰＤが前記第１のセットのケーブルペアと前記第２のセットのケーブルペアの両方から電力を受けると判定したときに、前記ＰＳＥによって、前記インターフェース量ＴＬＶに従って、前記ＰＤが２つのＰＤインターフェースを備えるかを判定するステップをさらに備えることを特徴とする請求項１乃至８のいずれか一項に記載の方法。
【請求項１０】
ＰＳＥによって、イーサネットより対線の第１のセットのケーブルペアと第２のセットのケーブルペアの両方が有効な受電デバイスに接続されていることを前記検出し、判定するステップは、
前記ＰＳＥによって、第１の検出電圧または第１の検出電流を、前記第１のセットのケーブルペアにそってピアエンドに送信し、第１のインピーダンスを獲得するステップと、
前記ＰＳＥによって、第２の検出電圧または第２の検出電流を、前記イーサネットより対線における前記第２のセットのケーブルペアにそって前記ピアエンドに送信し、第２のインピーダンスを獲得するステップと、
前記第１のインピーダンスと前記第２のインピーダンスの両方が、事前設定された範囲内にある場合、前記第１のセットのケーブルペアと前記第２のセットのケーブルペアの両方が有効な受電デバイスに接続されていると判定するステップとを備えることを特徴とする請求項１乃至９のいずれか一項に記載の方法。
【請求項１１】
給電機器（ＰＳＥ）であって、
イーサネットより対線の第１のセットのケーブルペアと第２のセットのケーブルペアの両方が有効な受電デバイスに接続されているかを検出し、判定するように構成された第１の検出モジュールと、
受電デバイス（ＰＤ）から第１のリンク層発見プロトコルデータユニット（ＬＬＤＰＤＵ）を受信するように構成された受信モジュールであって、前記第１のＬＬＤＰＤＵは、負荷量タイプ−長さ−値（ＴＬＶ）を備え、前記負荷量ＴＬＶは、前記ＰＤに含まれるＰＤ負荷の量を通知するのに使用され、前記ＰＤは、前記イーサネットより対線を使用することによりＰＳＥに接続される、受信モジュールと、
ＰＳＥが、前記ＰＤが前記第１のセットのケーブルペアと前記第２のセットのケーブルペアの両方から電力を受けると判定し、前記ＰＤが２つのＰＤインターフェースを備える場合に、前記負荷量ＴＬＶに従って、前記ＰＤが２つのＰＤ負荷または１つのＰＤ負荷を備えるかを判定するように構成された第１の判定モジュールと、
前記第１の判定モジュールが、前記ＰＤが２つのＰＤ負荷を備えると判定した場合、前記第１のセットのケーブルペアを使用することにより第１の電力で前記ＰＤに電力を供給し、前記第２のセットのケーブルペアを使用することにより第２の電力で前記ＰＤに電力を供給するように構成された第１の電力供給モジュールであって、前記第１の電力と前記第２の電力とは、互いに無関係である、第１の電力供給モジュールと
を備えることを特徴とするＰＳＥ。
【請求項１２】
前記第１のＬＬＤＰＤＵは、電力リクエストＴＬＶをさらに備え、前記電力リクエストＴＬＶは、前記第１のセットのケーブルペアの第１の要求される電力と、前記第２のセットのケーブルペアの第２の要求される電力とを備え、
前記第１の電力供給モジュールは、前記ＰＤに第２のＬＬＤＰＤＵを送信するようにさらに構成され、前記第２のＬＬＤＰＤＵは、電力割当てＴＬＶを備え、前記電力割当てＴＬＶは、ＰＳＥによって前記第１のセットのケーブルペアに割り当てられた前記第１の電力と、前記第２のセットのケーブルペアに割り当てられた前記第２の電力とを備えることを特徴とする請求項１１に記載のＰＳＥ。
【請求項１３】
前記第１の判定モジュールが、前記ＰＤが１つだけのＰＤ負荷を備えると判定した場合、前記ＰＤの電力要件情報に従って前記ＰＤに電力を供給するように構成された第２の電力供給モジュールをさらに備えることを特徴とする請求項１１または１２に記載のＰＳＥ。
【請求項１４】
前記第１のＬＬＤＰＤＵは、電力リクエストＴＬＶをさらに備え、前記電力リクエストＴＬＶは、前記第１のセットのケーブルペアの第１の要求される電力と、前記第２のセットのケーブルペアの第２の要求される電力とを備え、
前記第２の電力供給モジュールは、前記電力リクエストＴＬＶの中にある前記第１の要求される電力および前記第２の要求される電力に従って前記第１のセットのケーブルペアおよび前記第２のセットのケーブルペアに第３の電力を割り当て、前記ＰＤに第３のＬＬＤＰＤＵを送信し、前記第３のＬＬＤＰＤＵは電力割当てＴＬＶを備え、前記電力割当てＴＬＶは、前記ＰＳＥによって前記第１のセットのケーブルペアおよび前記第２のセットのケーブルペアに割り当てられた前記第３の電力を備えており、前記第１のセットのケーブルペアと前記第２のセットのケーブルペアの両方を使用することにより前記第３の電力で前記ＰＤに電力を供給して、前記ＰＤ負荷が、前記第１のセットのケーブルペアと前記第２のセットのケーブルペアの両方を使用することにより電力を獲得するようにするように特に構成されることを特徴とする請求項１３に記載のＰＳＥ。
【請求項１５】
前記電力リクエストＴＬＶの中でリクエストされた前記第１の要求される電力と前記第２の要求される電力が異なる場合、
前記第３のＬＬＤＰＤＵは、前記電力リクエストＴＬＶの中でリクエストされた要求される電力の誤りを前記ＰＤに示すのに使用される電力リクエスト誤り指示をさらに備え、
前記第３の電力は、前記電力リクエストＴＬＶの中にある前記第１の要求される電力と前記第２の要求される電力のうちの小さい方の要求される電力であることを特徴とする請求項１４に記載のＰＳＥ。
【請求項１６】
前記第１のＬＬＤＰＤＵは、電力リクエストＴＬＶをさらに備え、前記電力リクエストＴＬＶは、前記イーサネットより対線の合計の要求される電力を備え、
前記第２の電力供給モジュールは、前記電力リクエストＴＬＶの中の合計の要求される電力に従って前記イーサネットより対線に合計の電力を割り当て、前記ＰＤに第４のＬＬＤＰＤＵを送信し、前記第４のＬＬＤＰＤＵは電力割当てＴＬＶを備え、前記電力割当てＴＬＶは、前記ＰＳＥによって前記イーサネットより対線に割り当てられた前記合計の電力を備えており、前記電力リクエストＴＬＶの中の前記合計の要求される電力が所与の電力値以下である場合、前記第１のセットのケーブルペアだけを使用することにより、もしくは前記第２のセットのケーブルペアだけを使用することにより、または前記第１のセットのケーブルペアと前記第２のセットのケーブルペアの両方を使用することにより前記合計の電力で前記ＰＤに電力を供給して、前記ＰＤ負荷が、前記第１のセットのケーブルペアまたは前記第２のセットのケーブルペアを使用することにより電力を獲得するようにし、または前記電力リクエストＴＬＶの中の前記合計の要求される電力が所与の電力値を超えている場合、前記第１のセットのケーブルペアと前記第２のセットのケーブルペアの両方を使用することにより前記合計の電力の半分で前記ＰＤに電力を供給して、前記ＰＤ負荷が、前記第１のセットのケーブルペアと前記第２のセットのケーブルペアの両方を使用することにより電力を獲得するようにするように特に構成されることを特徴とする請求項１３に記載のＰＳＥ。
【請求項１７】
前記第１のＬＬＤＰＤＵは、電力リクエストＴＬＶをさらに備え、前記電力リクエストＴＬＶは、前記第１のセットのケーブルペアまたは前記第２のセットのケーブルペアの要求される電力を備え、
前記第２の電力供給モジュールは、前記電力リクエストＴＬＶの中の前記第１のセットのケーブルペアまたは前記第２のセットのケーブルペアの前記要求される電力に従って前記第１のセットのケーブルペアまたは前記第２のセットのケーブルペアに第４の電力を割り当て、前記ＰＤに第５のＬＬＤＰＤＵを送信し、前記第５のＬＬＤＰＤＵは電力割当てＴＬＶを備え、前記電力割当てＴＬＶは、ＰＳＥによって前記第１のセットのケーブルペアまたは前記第２のセットのケーブルペアに割り当てられた前記第４の電力を備えており、前記第１のセットのケーブルペアまたは前記第２のセットのケーブルペアを使用することにより前記第４の電力で前記ＰＤに電力を供給して、前記ＰＤ負荷が、前記第１のセットのケーブルペアまたは前記第２のセットのケーブルペアを使用することにより電力を獲得するように特に構成されることを特徴とする請求項１３に記載のＰＳＥ。
【請求項１８】
前記第１のＬＬＤＰは、受電構成ＴＬＶをさらに備え、前記受電構成ＴＬＶは、前記イーサネットより対線からの電力を前記ＰＤによって受ける構成のステータスを前記ＰＳＥに通知するのに使用され、
前記ＰＳＥが、前記受電構成ＴＬＶに従って、前記ＰＤが前記第１のセットのケーブルペアと前記第２のセットのケーブルペアの両方から電力を受けるかを判定するように構成された第２の判定モジュールをさらに備えることを特徴とする請求項１１乃至１７のいずれか一項に記載のＰＳＥ。
【請求項１９】
前記第１のＬＬＤＰは、インターフェース量ＴＬＶをさらに備え、前記インターフェース量ＴＬＶは、前記ＰＤに含まれるＰＤインターフェースの量についてＰＳＥに通知するのに使用され、
前記第２の判定モジュールが、前記ＰＤが前記第１のセットのケーブルペアと前記第２のセットのケーブルペアの両方から電力を受けると判定したとき、前記ＰＳＥは、前記インターフェース量ＴＬＶに従って、前記ＰＤが２つのＰＤインターフェースを備えるかを判定するように構成された第３の判定モジュールをさらに備えることを特徴とする請求項１１乃至１８のいずれか一項に記載のＰＳＥ。
【請求項２０】
パワーオーバイーサネットシステムであって、受電デバイス（ＰＤ）と、請求項１１乃至１９のいずれか一項に記載の給電機器（ＰＳＥ）とを備え、前記ＰＳＥは、４ペアのケーブルを使用することにより電力を供給することをサポートし、前記ＰＤは、イーサネットより対線を使用することにより前記ＰＳＥに接続され、
前記ＰＤは、前記ＰＳＥに第１のリンク層発見プロトコルデータユニット（ＬＬＤＰＤＵ）を送信するように構成され、前記第１のＬＬＤＰＤＵは、負荷量タイプ−長さ−値（ＴＬＶ）を備え、前記負荷量ＴＬＶは、前記ＰＤに含まれるＰＤ負荷の量を通知するのに使用されることを特徴とするパワーオーバイーサネットシステム。
【発明の詳細な説明】
【技術分野】
【０００１】
本発明は、パワーオーバイーサネット技術の分野に関し、より詳細には、パワーオーバイーサネット方法および装置に関する。
【背景技術】
【０００２】
パワーオーバイーサネット（Power over Ethernet、略してＰｏＥ）は、より対線を使用することによってイーサネットデータと電力（power）の両方を伝送する技術であり、ここで、電力とは、供給される電気（electricity）を指す。
【０００３】
米国電気通信工業会（Telecommunications  Industry Association、略してＴＩＡ）／米国電子工業会（Electronic Industries Alliance、略してＥＩＡ）５６８（ＴＩＡ／ＥＩＡ−５６８）の規則によれば、ケーブルペア３が、イーサネットより対線の８位置８接点（8 position 8 contact、略して８Ｐ８Ｃ）モジュラコネクタ（modular connector）におけるピン１に接続されるケーブル（以降、略してケーブル１）、およびピン２に接続されるケーブル（以降、略してケーブル２）を含み、ケーブルペア２が、８Ｐ８Ｃモジュラコネクタにおいてピン３に接続されるケーブル（以降、略してケーブル３）、およびピン６に接続されるケーブル（以降、略してケーブル６）を含み、 ケーブルペア１が、８Ｐ８Ｃモジュラコネクタにおいてピン４に接続されるケーブル（以降、略してケーブル４）、およびピン５に接続されるケーブル（以降、略してケーブル５）を含み、ケーブルペア４が、８Ｐ８Ｃモジュラコネクタにおいてピン７に接続されるケーブル（以降、略してケーブル７）、およびピン８に接続されるケーブル（以降、略してケーブル８）を含む。
【０００４】
ＰｏＥデバイスは、２つのカテゴリ、すなわち、給電機器（power sourcing equipment、略してＰＳＥ）、および受電デバイス（powered device、略してＰＤ）を含み、ＰｏＥデバイスは、ＰＳＥとＰＤの両方であることも可能である。ＰＳＥは、ＰＤに電力を供給する機器である。ＰＤは、電力を受けるデバイス、例えば、インターネットプロトコル（Internet Protocol、略してＩＰ）電話、ウェブカメラ、ワイヤレスアクセスポイント（access point、略してＡＰ）、携帯情報端末（personal digital assistant、略してＰＤＡ）、ＩＰカメラ、発光ダイオード（light emitting diode、略してＬＥＤ）ランプ、またはノートブックコンピュータである。
【０００５】
従来のＰＳＥは、２つだけのケーブルペアを使用することによって電力を供給することをサポートする。例えば、ＰＳＥは、イーサネットより対線の中にあるケーブル１、ケーブル２、ケーブル３、およびケーブル６だけを使用することによって、またはイーサネットより対線の中にあるケーブル４、ケーブル５、ケーブル７、およびケーブル８だけを使用することによって電力を供給することをサポートする。例えば、ＰＳＥが、イーサネットより対線の中にあるケーブル１、ケーブル２、ケーブル３、およびケーブル６を使用することによって電力を供給する場合、ＰＳＥは、ピアエンドに検出信号を送信し、例えば、ピアエンドの抵抗およびキャパシタンスが所与の範囲内にあること、例えば、抵抗が、１９キロオームから２６．５キロオーム（kilohm、記号はｋΩ）までの範囲内にあり、キャパシタンスが、０．１５０マイクロファラッド（microfarad、記号はμＦ）であることを検出すると、ＰＳＥは、そのピアエンドが有効な（valid）ＰＤに接続されていると判定する。
【０００６】
ＰＳＥとＰＤの間のネゴシエーションレベルは、レベル０からレベル４までである。ネゴシエーションレベルがレベル４である場合、ＰＳＥは、最大の電力を供給し、出力電力は、約３０ワット（watt、記号はＷ）である。パワーオーバイーサネットアプリケーションの開発とともに、ＰＤのカテゴリは、ますます豊かになり、３０Ｗより大きい電力要件を有するより多くのＰＤが存在し、一般に、高電力受電デバイスと呼ばれる。ＰＤによって要求される電力が３０Ｗより大きい場合、ＰＳＥは、４つのケーブルペアを使用することによって電力を供給する、すなわち、第１のセットのケーブルペアと第２のセットのケーブルペアの両方を使用することによってＰＤに電力を供給する必要がある。Alternative Ａ（略してＡＬＴ  Ａ）とも呼ばれる第１のセットのケーブルペアは、ケーブルペア２と、ケーブルペア３とを含み、すなわち、ケーブル１、ケーブル２、ケーブル３、およびケーブル６を含み、Alternative Ｂ（略してＡＬＴ  Ｂ）とも呼ばれる第２のセットのケーブルペアは、ケーブルペア１と、ケーブルペア４とを含み、すなわち、ケーブル４、ケーブル５、ケーブル７、およびケーブル８を含む。
【０００７】
しかし、４つのケーブルペアを使用することによって電力を供給する際、ＰＳＥは、それでも、異なる設計タイプのＰＤを区別することができない。したがって、ＰＳＥは、ピアエンドにおけるＰＤの設計タイプに応じてＰＤに電力を正しく、効果的に供給することができず、供給される電力が不十分であり、ＰＤの停電をもたらす場合、または配電される電力が過度に高く、システム電力の浪費をもたらす場合が生じる。
【発明の概要】
【課題を解決するための手段】
【０００８】
本発明の実施形態は、ピアエンドにおいて接続されたＰＤに電力を正しく、効果的に供給するように、ピアエンドにおけるＰＤの設計タイプを判定することができるパワーオーバイーサネット方法および装置を提供する。
【０００９】
第１の態様によれば、パワーオーバイーサネット方法が提供され、
ＰＳＥによって、イーサネットより対線の第１のセットのケーブルペアと第２のセットのケーブルペアの両方が有効な受電デバイスに接続されていることを検出し、判定するステップと、
ＰＳＥによって、ＰＤから第１のリンク層発見プロトコルデータユニット（Link Layer Discovery Protocol data unit、略してＬＬＤＰＤＵ）を受信するステップであって、第１のＬＬＤＰＤＵは、負荷量タイプ−長さ−値（type−length−value、略してＴＬＶ）を含み、負荷量ＴＬＶは、ＰＤに含まれるＰＤ負荷の量を通知するのに使用され、ＰＤは、イーサネットより対線を使用することによってＰＳＥに接続される、ステップと、  ＰＳＥはＰＤが第１のセットのケーブルペアと第２のセットのケーブルペアの両方から電力を受けると判定し、ＰＤが２つのＰＤインターフェースを含む場合に、ＰＳＥが、負荷量ＴＬＶに従って、ＰＤが２つのＰＤ負荷を含むと判定したとき、ＰＳＥによって、第１のセットのケーブルペアを使用することにより第１の電力でＰＤに電力を供給し、第２のセットのケーブルペアを使用することにより第２の電力でＰＤに電力を供給するステップであって、第１の電力および第２の電力は、互いに無関係である、ステップとを含む。
【００１０】
第１の態様を参照すると、第１の態様の第１の可能な実施様態において、第１のＬＬＤＰＤＵは、電力リクエストＴＬＶをさらに含み、電力リクエストＴＬＶは、第１のセットのケーブルペアの第１の要求される電力と第２のセットのケーブルペアの第２の要求される電力とを含み、
相応して、方法は、
ＰＳＥによって、ＰＤに第２のＬＬＤＰＤＵを送信するステップであって、第２のＬＬＤＰＤＵは、電力割当てＴＬＶを含み、電力割当てＴＬＶは、ＰＳＥによって第１のセットのケーブルペアに割り当てられた第１の電力と、第２のセットのケーブルペアに割り当てられた第２の電力とを含む、ステップをさらに含む。
【００１１】
第１の態様を参照すると、第１の態様の第２の可能な実施様態において、この方法は、ＰＳＥは、負荷量ＴＬＶに従って、ＰＤが１つだけのＰＤ負荷を含むと判定した場合、ＰＳＥによって、ＰＤの電力要件情報に従ってＰＤに電力を供給することをさらに含む。
【００１２】
第１の態様の第２の可能な実施様態を参照すると、第１の態様の第３の可能な実施様態において、第１のＬＬＤＰＤＵは、電力リクエストＴＬＶをさらに含み、電力リクエストＴＬＶは、第１のセットのケーブルペアの第１の要求される電力と、第２のセットのケーブルペアの第２の要求される電力とを含み、
相応して、ＰＳＥによって、ＰＤの電力要件情報に従ってＰＤに電力を供給するステップは、
ＰＳＥによって、電力リクエストＴＬＶの中にある第１の要求される電力および第２の要求される電力に従って第１のセットのケーブルペアおよび第２のセットのケーブルペアに第３の電力を割り当てるステップと、
ＰＳＥによって、ＰＤに第３のＬＬＤＰＤＵを送信するステップであって、第３のＬＬＤＰＤＵは、電力割当てＴＬＶを含み、電力割当てＴＬＶは、ＰＳＥによって第１のセットのケーブルペアおよび第２のセットのケーブルペアに割り当てられた第３の電力を含むステップと、
ＰＳＥによって、第１のセットのケーブルペアと第２のセットのケーブルペアの両方を使用することにより第３の電力でＰＤに電力を供給して、ＰＤ負荷が、第１のセットのケーブルペアと第２のセットのケーブルペアの両方を使用することにより電力を獲得するようにするステップとを含む。
【００１３】
第１の態様の第３の可能な実施様態を参照すると、第１の態様の第４の可能な実施様態において、電力リクエストＴＬＶの中でリクエストされた第１の要求される電力と第２の要求される電力が異なる場合、
第３のＬＬＤＰＤＵは、電力リクエストＴＬＶの中でリクエストされた要求される電力の誤りをＰＤに示すのに使用される電力リクエスト誤り指示をさらに含み、
第３の電力は、電力リクエストＴＬＶの中にある第１の要求される電力と第２の要求される電力のうちの小さい方の要求される電力である。
【００１４】
第１の態様の第２の可能な実施様態を参照して、第１の態様の第５の可能な実施様態において、第１のＬＬＤＰＤＵは、電力リクエストＴＬＶをさらに含み、その電力リクエストＴＬＶは、イーサネットより対線の合計の要求される電力を含み、
相応して、ＰＳＥによって、ＰＤの電力要件情報に従ってＰＤに電力を供給するステップは、
ＰＳＥによって、電力リクエストＴＬＶの中の合計の要求される電力に従ってイーサネットより対線に合計の電力を割り当てること、
ＰＳＥによる、ＰＤに第４のＬＬＤＰＤＵを送信することであって、第４のＬＬＤＰＤＵは、電力割当てＴＬＶを含み、電力割当てＴＬＶは、ＰＳＥによってイーサネットより対線に割り当てられた合計の電力を含むステップと、
電力リクエストＴＬＶの中の合計の要求される電力が、所与の電力値以下である場合、ＰＳＥによる、第１のセットのケーブルペアだけを使用することにより、または第２のセットのケーブルペアだけを使用することにより、または第１のセットのケーブルペアと第２のセットのケーブルペアの両方を使用することによって合計の電力でＰＤに電力を供給して、ＰＤ負荷が、第１のセットのケーブルペアまたは第２のセットのケーブルペアを使用することによって電力を獲得するようにするステップ、または
電力リクエストＴＬＶの中の合計の要求される電力が、所与の電力値を超えている場合、ＰＳＥによって、第１のセットのケーブルペアと第２のセットのケーブルペアの両方を使用することにより合計の電力の半分でＰＤに電力を供給して、ＰＤ負荷が、第１のセットのケーブルペアと第２のセットのケーブルペアの両方を使用することによって電力を獲得するようにするステップを含む。
【００１５】
第１の態様の第２の可能な実施様態を参照すると、第１の態様の第６の可能な実施様態において、第１のＬＬＤＰＤＵは、電力リクエストＴＬＶを含み、その電力リクエストＴＬＶは、第１のセットのケーブルペアまたは第２のセットのケーブルペアの要求される電力を含み、
相応して、ＰＳＥによって、ＰＤの電力要件情報に従ってＰＤに電力を供給することは、
ＰＳＥによって、電力リクエストＴＬＶの中の第１のセットのケーブルペアまたは第２のセットのケーブルペアの要求される電力に従って第１のセットのケーブルペアまたは第２のセットのケーブルペアに第４の電力を割り当てるステップと、
ＰＳＥによって、ＰＤに第５のＬＬＤＰＤＵを送信するステップであって、第５のＬＬＤＰＤＵは、電力割当てＴＬＶを含み、電力割当てＴＬＶは、ＰＳＥによって第１のセットのケーブルペアまたは第２のセットのケーブルペアに割り当てられた第４の電力を含む、ステップと、
ＰＳＥによって、第１のセットのケーブルペアまたは第２のセットのケーブルペアを使用することにより第４の電力でＰＤに電力を供給して、ＰＤ負荷が、第１のセットのケーブルペアまたは第２のセットのケーブルペアを使用することによって電力を獲得するようにするステップとを含む。
【００１６】
第１の態様、および第１の態様の第１から第６の可能な実施様態のいずれか１つを参照すると、第１の態様の第７の可能な実施様態において、第１のＬＬＤＰは、受電構成ＴＬＶをさらに含み、受電構成ＴＬＶは、イーサネットより対線からの電力をＰＤによって受ける構成のステータスをＰＳＥに通知するのに使用され、
相応して、この方法は、
ＰＳＥによって、受電構成ＴＬＶに従って、ＰＤが第１のセットのケーブルペアと第２のセットのケーブルペアの両方から電力を受けると判定するステップをさらに含む。
【００１７】
第１の態様の第７の可能な実施様態を参照すると、第１の態様の第８の可能な実施様態において、第１のＬＬＤＰは、インターフェース量ＴＬＶをさらに含み、インターフェース量ＴＬＶは、ＰＤに含まれるＰＤインターフェースの量についてＰＳＥに通知するのに使用され、
相応して、この方法は、
ＰＳＥが、ＰＤが第１のセットのケーブルペアと第２のセットのケーブルペアの両方から電力を受けると判定したときに、ＰＳＥによって、インターフェース量ＴＬＶに従って、ＰＤが２つのＰＤインターフェースを含むかどうかを判定するステップをさらに含む。
【００１８】
第１の態様、および第１の態様の第１から第８の可能な実施様態のいずれか１つを参照すると、第１の態様の第９の可能な実施様態において、ＰＳＥによって、イーサネットより対線の第１のセットのケーブルペアと第２のセットのケーブルペアの両方が有効な受電デバイスに接続されていることを検出し、判定するステップは、
ＰＳＥによって、第１の検出電圧または第１の検出電流を、第１のセットのケーブルペアにそってピアエンドに送信し、第１のインピーダンスを獲得するステップと、
ＰＳＥによって、第２の検出電圧または第２の検出電流を、イーサネットより対線における第２のセットのケーブルペアにそってピアエンドに送信し、第２のインピーダンスを獲得するステップと、
第１のインピーダンスと第２のインピーダンスの両方が、事前設定された範囲内にある場合、第１のセットのケーブルペアと第２のセットのケーブルペアの両方が有効な受電デバイスに接続されていると判定するステップとを含む。
【００１９】
第２の態様によれば、ＰＳＥが提供され、
イーサネットより対線の第１のセットのケーブルペアと第２のセットのケーブルペアの両方が有効な受電デバイスに接続されているかどうかを検出し、判定するように構成された第１の検出モジュールと、
ＰＤから第１のＬＬＤＰＤＵを受信するように構成された受信モジュールであって、第１のＬＬＤＰＤＵは、負荷量ＴＬＶを含み、負荷量ＴＬＶは、ＰＤに含まれるＰＤ負荷の量を通知するのに使用され、ＰＤは、イーサネットより対線を使用することによりＰＳＥに接続される、受信モジュールと、
ＰＳＥが、ＰＤが第１のセットのケーブルペアと第２のセットのケーブルペアの両方から電力を受けると判定し、ＰＤが、２つのＰＤインターフェースを含む場合において、ＰＤが、２つのＰＤインターフェースを含む場合に、負荷量ＴＬＶに従って、ＰＤが２つのＰＤ負荷または１つのＰＤ負荷を含むかを判定するように構成された第１の判定モジュールと、
第１の判定モジュールが、ＰＤが２つのＰＤ負荷を含むと判定した場合、第１のセットのケーブルペアを使用することによって第１の電力でＰＤに電力を供給し、第２のセットのケーブルペアを使用することにより第２の電力でＰＤに電力を供給するように構成された第１の電力供給モジュールであって、第１の電力と第２の電力は、互いに無関係である、第１の電力供給モジュールとを含むる。
【００２０】
第２の態様を参照すると、第２の態様の第１の可能な実施様態において、第１のＬＬＤＰＤＵは、電力リクエストＴＬＶをさらに含み、電力リクエストＴＬＶは、第１のセットのケーブルペアの第１の要求される電力と、第２のセットのケーブルペアの第２の要求される電力とを含み、
相応して、第１の電力供給モジュールは、ＰＤに第２のＬＬＤＰＤＵを送信するように構成され、第２のＬＬＤＰＤＵは、電力割当てＴＬＶを含み、電力割当てＴＬＶは、ＰＳＥによって第１のセットのケーブルペアに割り当てられた第１の電力と、第２のセットのケーブルペアに割り当てられた第２の電力とを含む。
【００２１】
第２の態様を参照すると、第２の態様の第２の可能な実施様態において、ＰＳＥは、第１の判定モジュールが、ＰＤが１つだけのＰＤ負荷を含むと判定した場合、ＰＤの電力要件情報に従ってＰＤに電力を供給するように構成された第２の電力供給モジュールをさらに含む。
【００２２】
第２の態様の第２の可能な実施様態を参照すると、第２の態様の第３の可能な実施様態において、第１のＬＬＤＰＤＵは、電力リクエストＴＬＶをさらに含み、電力リクエストＴＬＶは、第１のセットのケーブルペアの第１の要求される電力と、第２のセットのケーブルペアの第２の要求される電力とを含み、
第２の電力供給モジュールは、電力リクエストＴＬＶの中にある第１の要求される電力および第２の要求される電力に従って第１のセットのケーブルペアおよび第２のセットのケーブルペアに第３の電力を割り当て、ＰＤに第３のＬＬＤＰＤＵを送信し、第３のＬＬＤＰＤＵは、電力割当てＴＬＶを含み、電力割当てＴＬＶは、ＰＳＥによって第１のセットのケーブルペアおよび第２のセットのケーブルペアに割り当てられた第３の電力を含み、第２の電力供給モジュールは、第１のセットのケーブルペアと第２のセットのケーブルペアの両方を使用することにより第３の電力でＰＤに電力を供給して、ＰＤ負荷が、第１のセットのケーブルペアと第２のセットのケーブルペアの両方を使用することによって電力を獲得するようにするように特に構成される。
【００２３】
第２の態様の第３の可能な実施様態を参照すると、第２の態様の第４の可能な実施様態において、電力リクエストＴＬＶの中でリクエストされた第１の要求される電力と第２の要求される電力が異なる場合、
第３のＬＬＤＰＤＵは、電力リクエストＴＬＶの中でリクエストされた要求される電力の誤りをＰＤに示すのに使用される電力リクエスト誤り指示をさらに含み、
第３の電力は、電力リクエストＴＬＶの中にある第１の要求される電力と第２の要求される電力のうちの小さい方の要求される電力である。
【００２４】
第２の態様の第２の可能な実施様態を参照して、第２の態様の第５の可能な実施様態において、第１のＬＬＤＰＤＵは、電力リクエストＴＬＶをさらに含み、電力リクエストＴＬＶは、イーサネットより対線の合計の要求される電力を含み、
相応して、第２の電力供給モジュールは、電力リクエストＴＬＶの中の合計の要求される電力に従ってイーサネットより対線に合計の電力を割り当て、ＰＤに第４のＬＬＤＰＤＵを送信し、第４のＬＬＤＰＤＵは、電力割当てＴＬＶを含み、電力割当てＴＬＶは、ＰＳＥによってイーサネットより対線に割り当てられた合計の電力を含み、第２の電力供給モジュールは、電力リクエストＴＬＶの中の合計の要求される電力が、所与の電力値以下である場合、第１のセットのケーブルペアだけを使用することにより、もしくは第２のセットのケーブルペアだけを使用することにより、または第１のセットのケーブルペアと第２のセットのケーブルペアの両方を使用することにより合計の電力でＰＤに電力を供給して、ＰＤ負荷が、第１のセットのケーブルペアまたは第２のセットのケーブルペアを使用することにより電力を獲得するようにし、または電力リクエストＴＬＶの中の合計の要求される電力が、所与の電力値を超えている場合、第１のセットのケーブルペアと第２のセットのケーブルペアの両方を使用することにより合計の電力の半分でＰＤに電力を供給して、ＰＤ負荷が、第１のセットのケーブルペアと第２のセットのケーブルペアの両方を使用することにより電力を獲得するようにするように特に構成される。
【００２５】
第２の態様の第２の可能な実施様態を参照すると、第２の態様の第６の可能な実施様態において、第１のＬＬＤＰＤＵは、電力リクエストＴＬＶをさらに含み、電力リクエストＴＬＶは、第１のセットのケーブルペアまたは第２のセットのケーブルペアの要求される電力を含み、
相応して、第２の電力供給モジュールは、電力リクエストＴＬＶの中の第１のセットのケーブルペアまたは第２のセットのケーブルペアの要求される電力に従って第１のセットのケーブルペアまたは第２のセットのケーブルペアに第４の電力を割り当て、ＰＤに第５のＬＬＤＰＤＵを送信し、第５のＬＬＤＰＤＵは、電力割当てＴＬＶを含み、電力割当てＴＬＶは、ＰＳＥによって第１のセットのケーブルペアまたは第２のセットのケーブルペアに割り当てられた第４の電力を含み、第１のセットのケーブルペアまたは第２のセットのケーブルペアを使用することにより第４の電力でＰＤに電力を供給して、ＰＤ負荷が、第１のセットのケーブルペアまたは第２のセットのケーブルペアを使用することにより電力を獲得するようにするように特に構成される。
【００２６】
第２の態様、および第２の態様の第１から第６の可能な実施様態のいずれか１つを参照すると、第２の態様の第７の可能な実施様態において、第１のＬＬＤＰは、受電構成ＴＬＶをさらに含み、受電構成ＴＬＶは、イーサネットより対線からの電力をＰＤによって受ける構成のステータスをＰＳＥに通知するのに使用され、
ＰＳＥは、受電構成ＴＬＶに従って、ＰＤが第１のセットのケーブルペアと第２のセットのケーブルペアの両方から電力を受けるかどうかを判定するように構成された第２の判定モジュールをさらに含む。
【００２７】
第２の態様の第７の可能な実施様態を参照すると、第２の態様の第８の可能な実施様態において、第１のＬＬＤＰは、インターフェース量ＴＬＶをさらに含み、インターフェース量ＴＬＶは、ＰＤに含まれるＰＤインターフェースの量についてＰＳＥに通知するのに使用され、
ＰＳＥは、第２の判定モジュールが、ＰＤが第１のセットのケーブルペアと第２のセットのケーブルペアの両方から電力を受けると判定したとき、インターフェース量ＴＬＶに従って、ＰＤが２つのＰＤインターフェースを含むかどうかを判定するように構成された第３の判定モジュールをさらに含む。
【００２８】
第２の態様、および第２の態様の第１から第８の可能な実施様態のいずれか１つを参照すると、第２の態様の第９の可能な実施様態において、第１の検出モジュールは、第１の検出電圧または第１の検出電流を、第１のセットのケーブルペアにそってピアエンドに送信し、第１のインピーダンスを獲得し、第２の検出電圧または第２の検出電流を、イーサネットより対線における第２のセットのケーブルペアにそってピアエンドに送信し、第２のインピーダンスを獲得し、第１のインピーダンスと第２のインピーダンスの両方が、事前設定された範囲内にある場合、第１のセットのケーブルペアと第２のセットのケーブルペアの両方が有効な受電デバイスに接続されていると判定するように特に構成される。
【００２９】
第３の態様によれば、ＰＤと、第２の態様、および第２の態様の第１から第９の可能な実施様態のいずれか１つによるＰＳＥとを含むパワーオーバイーサネットシステムが提供され、そのＰＳＥは、４ペアのケーブルを使用することにより電力を供給することをサポートし、ＰＤは、イーサネットより対線を使用することによりＰＳＥに接続され、
ＰＤは、ＰＳＥに第１のＬＬＤＰＤＵを送信するように構成され、第１のＬＬＤＰＤＵは、負荷量ＴＬＶを含み、負荷量ＴＬＶは、ＰＤに含まれるＰＤ負荷の量を通知するのに使用される。
【００３０】
本発明の実施形態において提供されるパワーオーバイーサネット方法、デバイス、およびシステムによれば、ＰＳＥは、イーサネットより対線の第１のセットのケーブルペアと第２のセットのケーブルペアの両方が有効な受電デバイスに接続されていることを検出し、判定し、ＰＤによって送信された第１のＬＬＤＰＤＵを受信し、ＰＤはイーサネットより対線を使用することによりＰＳＥに接続されており、ＰＳＥは、ＰＤが第１のセットのケーブルペアと第２のセットのケーブルペアの両方から電力を受けると判定し、ＰＤが２つのＰＤインターフェースを含む場合に、第１のＬＬＤＰＤＵの中の負荷量ＴＬＶに従って、ＰＤが１つのＰＤ負荷または２つのＰＤ負荷を含むかを判定して、ＰＤの設計タイプが判定されるようにする。ＰＤが２つのＰＤ負荷を含むと判定されると、第１のセットのケーブルペアおよび第２のセットのケーブルペアを使用することにより、互いに無関係である電力でその２つのＰＤ負荷に電力を別々に供給する。したがって、電力が、ＰＤに正しく、効果的に供給できることが確実になる。
【図面の簡単な説明】
【００３１】
【図１】本発明の実施形態によるパワーオーバイーサネットシナリオを示す概略図１である。
【図２】本発明の実施形態によるパワーオーバイーサネットシナリオを示す概略図２である。
【図３】本発明の実施形態によるパワーオーバイーサネットシナリオを示す概略図３である。
【図４】本発明の実施形態によるパワーオーバイーサネットシナリオを示す概略図４である。
【図５】本発明の実施形態によるパワーオーバイーサネット方法を示す概略流れ図である。
【図６】本発明の実施形態による別のパワーオーバイーサネット方法を示す概略流れ図である。
【図７】本発明の実施形態によるＰＳＥの概略構造図である。
【図８】本発明の実施形態によるＰＳＥの別の概略構造図である。
【図９】本発明の実施形態によるパワーオーバイーサネットシステムの概略構造図である。
【発明を実施するための形態】
【００３２】
リンク層発見プロトコル（Link Layer Discovery Protocol、略してＬＬＤＰ）は、ローカルデバイスの主要な能力、管理アドレス、デバイス識別子、およびインターフェース識別子などの情報が様々なタイプ−長さ−値（tyep−length−value、略してＴＬＶ）として編成され得る標準のリンク層発見様態を提供し、それらの様々なタイプ−長さ−値は、リンク層発見プロトコルデータユニット（Link Layer Discovery Protocol data unit、略してＬＬＤＰＤＵ）にカプセル化されて、隣接デバイスに通知される。
【００３３】
本発明の実施形態について、本明細書の添付の図面を参照して以下に説明する。
【００３４】
ＰＳＥが４つのケーブルペアを使用することによって電力を供給することをサポートする場合において、ＰＤは、異なる様態でＰＳＥに接続されることが可能であり、ＰＳＥに接続されるＰＤは、異なる設計タイプを有することも可能であり、図１から図４に示される異なるパワーオーバイーサネットシナリオが含まれることが可能である。
【００３５】
本発明の実施形態において、ＰＤインターフェースとは、ＰＤの中にあり、電力供給特性情報、および制御、例えば、検出（detection）、分類（classification）、および切断（disconnection）を提供する回路または論理ユニットを指す。
【００３６】
図１を参照すると、図１は、本発明の実施形態によるパワーオーバイーサネットシナリオの概略図１である。ＰＤ１が、標準のイーサネットより対線を使用することによってＰＳＥに接続される。ＰＤ１は、１つだけのＰＤインターフェースを含み、その標準のイーサネットより対線の第１のセットのケーブルペアと第２のセットのケーブルペアの両方が、ＰＤ１のＰＤインターフェースに接続される。
【００３７】
図２を参照すると、図２は、本発明の実施形態によるパワーオーバイーサネットシナリオの概略図２である。ＰＤ２が、標準のイーサネットより対線を使用することによってＰＳＥに接続される。ＰＤ２は、２つのＰＤインターフェース、すなわち、第１のＰＤインターフェースおよび第２のＰＤインターフェースを含む。標準のイーサネットより対線の第１のセットのケーブルペアが、第１のＰＤインターフェースに接続され、標準のイーサネットより対線の第２のセットのケーブルペアが、第２のＰＤインターフェースに接続される。ＰＤ２は、１つだけのＰＤ負荷を含み、そのＰＤ負荷は、第１のＰＤインターフェースと第２のＰＤインターフェースの両方に接続される。
【００３８】
図３を参照すると、図３は、本発明の実施形態によるパワーオーバイーサネットシナリオの概略図３である。ＰＤ３が、標準のイーサネットより対線を使用することによってＰＳＥに接続される。ＰＤ３は、２つのＰＤインターフェース、すなわち、第１のＰＤインターフェースおよび第２のＰＤインターフェースを含む。標準のイーサネットより対線の第１のセットのケーブルペアが、第１のＰＤインターフェースに接続され、標準のイーサネットより対線の第２のセットのケーブルペアが、第２のＰＤインターフェースに接続される。ＰＤ３は、２つのＰＤ負荷、すなわち、第１のＰＤ負荷および第２のＰＤ負荷を含み、第１のＰＤ負荷は、第１のＰＤインターフェースに接続されて、第１のＰＤインターフェースから電力を獲得し、第２のＰＤ負荷は、第２のＰＤインターフェースに接続されて、第２のＰＤインターフェースから電力を獲得する。
【００３９】
図４を参照すると、図４は、本発明の実施形態によるパワーオーバイーサネットシナリオの概略図４である。ＰＤ４およびＰＤ５が、Ｙタイプのイーサネットより対線を使用することによってＰＳＥに接続される。ＰＤ４は、Ｙタイプのイーサネットより対線の第１のケーブルペアを使用することによってＰＳＥに接続され、ＰＤ５は、Ｙタイプのイーサネットより対線の第２のケーブルペアを使用することによってＰＳＥに接続される。
【００４０】
図５を参照すると、本発明の実施形態が、以下を含むパワーオーバイーサネット方法を提供する。すなわち、
５０１：ＰＳＥが、イーサネットより対線の第１のセットのケーブルペアと第２のセットのケーブルペアの両方が有効な受電デバイスに接続されていることを検出し、判定する。
【００４１】
ＰＳＥは、４つのケーブルペアを使用することによって電力を供給することをサポートする。
【００４２】
具体的には、ＰＳＥは、第１の検出電圧または第１の検出電流を、第１のセットのケーブルペアにそってピアエンドに送信し、第１のインピーダンスを獲得し、第２の検出電圧または第２の検出電流を、イーサネットより対線における第２のセットのケーブルペアにそってピアエンドに送信し、第２のインピーダンスを獲得し、第１のインピーダンスと第２のインピーダンスの両方が、事前設定された範囲内にある場合、第１のセットのケーブルペアと第２のセットのケーブルペアの両方が有効な受電デバイスに接続されていると判定する。
【００４３】
５０２：ＰＳＥが、ＰＤから第１のＬＬＤＰＤＵを受信し、第１のＬＬＤＰＤＵは、負荷量ＴＬＶを含み、負荷量ＴＬＶは、ＰＤに含まれるＰＤ負荷の量を通知するのに使用される。ＰＤは、イーサネットより対線を使用することによってＰＳＥに接続される。
【００４４】
５０３：ＰＳＥが、ＰＤが２つのＰＤインターフェースを含むと判定し、その２つのＰＤインターフェースが、第１のセットのケーブルペアと第２のセットのケーブルペアに別々に接続される場合において、ＰＳＥが、負荷量ＴＬＶに従って、ＰＤが２つのＰＤ負荷を含むと判定したとき、ＰＳＥは、第１のセットのケーブルペアを使用することによって第１の電力でＰＤに電力を供給し、第２のセットのケーブルペアを使用することによって第２の電力でＰＤに電力を供給する。
【００４５】
第１の電力と第２の電力は、互いに無関係である。
【００４６】
第１の電力で電力を供給することは、割り当てられた電力が第１の電力であることを意味する。
【００４７】
ＰＳＥが、ＰＤが２つのＰＤインターフェース、例えば、第１のＰＤインターフェースおよび第２のＰＤインターフェースを含むと判定し、その２つのＰＤインターフェースが、第１のセットのケーブルペアと第２のセットのケーブルペアに別々に接続される、例えば、第１のＰＤインターフェースが、第１のセットのケーブルペアに接続され、第２のＰＤインターフェースが、第２のセットのケーブルペアに接続される場合において、
ＰＳＥが、負荷量ＴＬＶに従って、ＰＤが２つのＰＤ負荷、例えば、第１のＰＤ負荷および第２のＰＤ負荷を含むと判定した場合、ＰＳＥは、第１のセットのケーブルペアを使用することによって第１の電力で第１のＰＤ負荷に電力を供給し、第２のセットのケーブルペアを使用することによって第２の電力で第２のＰＤ負荷に電力を供給し、第１のＰＤ負荷は、第１のＰＤインターフェースに接続されて、第１のＰＤインターフェースから電力を獲得し、第２のＰＤ負荷は、第２のＰＤインターフェースに接続されて、第２のＰＤインターフェースから電力を獲得し、
ＰＳＥが、負荷量ＴＬＶに従って、ＰＤが１つだけのＰＤ負荷を含むと判定した場合、ＰＳＥは、ＰＤの電力要件情報に従ってＰＤに電力を供給し、ＰＤ負荷は、第１のＰＤインターフェースと第２のＰＤインターフェースの両方に接続される。
【００４８】
ＰＤが２つのＰＤインターフェースを含む場合において、ＰＤは、１つのＰＤ負荷または２つのＰＤ負荷を含み得る。
【００４９】
しかし、ＰＳＥは、物理層における検出を通じて、ＰＤが１つのＰＤ負荷を含むか（図２に示されるシナリオ）、２つのＰＤ負荷を含むか（図３に示されるシナリオ）を判定することはできない。この実施形態において、ＰＳＥは、ＰＤからの第１のＬＬＤＰＤＵの中に含められた負荷量ＴＬＶに従って、ＰＤが１つのＰＤ負荷または２つのＰＤ負荷を含むかを判定する。
【００５０】
ＰＳＥが、本発明のこの実施形態において提供されるパワーオーバイーサネット方法に従って、４つのケーブルペアを使用することによって電力を供給することをサポートするシナリオに関して、ＰＤに含まれるＰＤ負荷の量をＰＳＥに通知するため、１つの負荷量ＴＬＶがＬＬＤＰプロトコルを拡張することによって追加され、１つの負荷量ＴＬＶは、ＰＤによってＰＳＥに送信されるＬＬＤＰＤＵに追加される。
【００５１】
本発明の実施形態において提供されるパワーオーバイーサネット方法によれば、ＰＳＥが、イーサネットより対線の第１のセットのケーブルペアと第２のセットのケーブルペアの両方が有効な受電デバイスに接続されていることを検出して、判定し、ＰＤが第１のセットのケーブルペアと第２のセットのケーブルペアの両方から受電すると判定し、ＰＤが２つのＰＤインターフェースを含む場合において、負荷量ＴＬＶに従って、ＰＤが１つのＰＤ負荷を含むか、２つのＰＤ負荷を含むかを判定して、ＰＤの設計タイプが判定されるようにする。ＰＤが２つのＰＤ負荷を含むと判定されると、ＰＳＥは、第１のセットのケーブルペアおよび第２のセットのケーブルペアを使用することによって、互いに無関係である電力でその２つのＰＤ負荷に電力を別々に供給する。したがって、電力が、ＰＤに正しく、効果的に供給され得ることが確実にされる。
【００５２】
図５に示される方法を参照すると、ＰＳＥが、図６に示されるように、イーサネットより対線の第１のセットのケーブルペアと第２のセットのケーブルペアの両方が有効な受電デバイスに接続されていることを検出し、判定する場合において、本発明の実施形態が、以下を含む別のパワーオーバイーサネット方法を提供する。すなわち、
６０１：ＰＳＥが、イーサネットより対線の第１のセットのケーブルペアと第２のセットのケーブルペアの両方が有効な受電デバイスに接続されていることを検出し、判定する。
【００５３】
ＰＳＥは、４つのケーブルペアを使用することによって電力を供給することをサポートする。
【００５４】
実施様態において、ＰＳＥは、イーサネットより対線における第１のセットのケーブルペアにそって第１の検出電圧をピアエンドに送信し、第１の検出電圧および第１のセットのケーブルペアから検出される電流に従って第１のインピーダンスを獲得し、イーサネットより対線における第２のセットのケーブルペアにそって第２の検出電圧をピアエンドに送信し、第２の検出電圧および第２のセットのケーブルペアから検出される電流に従って第２のインピーダンスを獲得する。
【００５５】
別の実施様態において、ＰＳＥは、イーサネットより対線の第１のセットのケーブルペアにそって第１の検出電流をピアエンドに送信し、第１の検出電流による第１のインピーダンス、および第１のセットのケーブルペアから検出される電圧を獲得し、イーサネットより対線の第２のセットのケーブルペアにそって第２の検出電流をピアエンドに送信し、第２の検出電圧による第２のインピーダンス、および第２のセットのケーブルペアから検出される電圧を獲得する。
【００５６】
ＰＳＥは、第１のインピーダンスおよび第２のインピーダンスに従って、第１のセットのケーブルペアと第２のセットのケーブルペアの両方が有効な受電デバイスに接続されているかを判定し、
第１のインピーダンスが事前設定された範囲内にあり、第２のインピーダンスがその事前設定された範囲外にある場合、ＰＳＥは、第１のセットのケーブルペアが有効な受電デバイスに接続されていると判定し、デフォルトの電力で第１のセットのケーブルペア上だけで給電し、この場合において、電力ネゴシエーションおよび電力供給は、従来の様態によりその後、実行されることが可能であり、このプロセスは、終了し、または
第２のインピーダンスが事前設定された範囲内にあり、第１のインピーダンスがその事前設定された範囲外にある場合、ＰＳＥは、第２のセットのケーブルペアが有効な受電デバイスに接続されていると判定し、デフォルトの電力で第２のセットのケーブルペア上だけで給電し、この場合において、電力ネゴシエーションおよび電力供給は、従来の様態によりその後、実行されることが可能であり、このプロセスは、終了し、または
第１のインピーダンスと第２のインピーダンスがともに事前設定された範囲内にある場合、ＰＳＥは、第１のセットのケーブルペアと第２のセットのケーブルペアがともに有効な受電デバイスに接続されていると判定し、デフォルトの電力で第１のセットのケーブルペアと第２のセットのケーブルペアの上で別々に給電することが可能である。
【００５７】
デフォルトの電力は、通常、レベル０にあり、デフォルトの電力がレベル０にある場合、ＰＳＥは、最小の電力を提供する。もちろん、デフォルトの電力は、要求される場合、別の値として定義してもよい。
【００５８】
アプリケーションにおいて、ピアエンドにおけるＰＤ接続のステータスが、第１のインピーダンスにおける抵抗値、第１のインピーダンスにおけるキャパシタンス値、第２のインピーダンスにおける抵抗値、および第２のインピーダンスにおけるキャパシタンス値に従って判定される必要がある場合、事前設定された範囲は、抵抗値範囲およびキャパシタンス値範囲を含む。
【００５９】
アプリケーションにおいて、ピアエンドにおけるＰＤ接続のステータスは、第１のインピーダンスにおける抵抗値、および第２のインピーダンスにおける抵抗値だけに従って判定されることが可能であり、この場合において、事前設定された範囲は、抵抗値範囲だけを含む。
【００６０】
６０２：ＰＳＥが、ＰＤから第１のＬＬＤＰＤＵを受信し、第１のＬＬＤＰＤＵは、負荷量ＴＬＶと、電力リクエストＴＬＶとを含み、受電構成ＴＬＶと、インターフェース量ＴＬＶとをさらに含む。
【００６１】
ＰＤは、イーサネットより対線を使用することによってＰＳＥに接続される。
【００６２】
負荷量ＴＬＶは、ＰＤに含まれるＰＤ負荷の量を通知するのに使用され、その量は、１または２であり得る。
【００６３】
電力リクエストＴＬＶは、ＰＤの電力要件情報についてＰＳＥに通知するのに使用される。
【００６４】
インターフェース量ＴＬＶは、ＰＤに含まれるＰＤインターフェースの量についてＰＳＥに通知するのに使用され、その量は、１または２であり得る。
【００６５】
受電構成ＴＬＶは、イーサネットより対線からの電力をＰＤによって受ける構成のステータスをＰＳＥに通知するのに使用され、そのステータスは、以下のうちのいずれか１つを含む。すなわち、
第１のセットのケーブルペアだけから電力を受けること、
第２のセットのケーブルペアだけから電力を受けること、および
第１のセットのケーブルペアと第２のセットのケーブルペアの両方から電力を受けること。
【００６６】
６０３：ＰＳＥが、受電構成ＴＬＶに従って、ＰＤが第１のセットのケーブルペアと第２のセットのケーブルペアの両方から電力を受けると判定する。
【００６７】
具体的には、ＰＳＥは、受電構成ＴＬＶに従って、ＰＤによって電力を受ける構成のステータスを判定し、かつ
ＰＤが第１のセットのケーブルペアだけから電力を受けると判定された場合、ＰＳＥは、イーサネットより対線がＹタイプのイーサネットより対線であると判定し、ＰＤは、Ｙタイプのイーサネットより対線における第１のセットのケーブルペアだけを使用することによってＰＳＥに接続され、例えば、そのＰＤは、図４に示されるＰＤ４であり、プロセスは、終了し、または
ＰＤが第２のセットのケーブルペアだけから電力を受けると判定された場合、ＰＳＥは、イーサネットより対線がＹタイプのイーサネットより対線であると判定し、ＰＤは、Ｙタイプのイーサネットより対線における第２のセットのケーブルペアだけを使用することによってＰＳＥに接続され、例えば、そのＰＤは、図４に示されるＰＤ５であり、プロセスは、終了し、または
ＰＤが第１のセットのケーブルペアと第２のセットのケーブルペアの両方から電力を受けると判定された場合、ＰＳＥは、イーサネットより対線が標準タイプのイーサネットより対線であると判定し、ＰＤは、図１から図３のいずれか１つに示されるように、標準タイプのイーサネットより対線の中にある第１のセットのケーブルペアと第２のセットのケーブルペアの両方を使用することによってＰＳＥに接続され、ステップ６０４に進む。
【００６８】
６０４：ＰＳＥが、インターフェース量ＴＬＶに従って、ＰＤが２つのＰＤインターフェースを含むと判定する。
【００６９】
具体的には、ＰＤが第１のセットのケーブルペアと第２のセットのケーブルペアの両方から電力を受けると判定される場合において、ＰＳＥは、インターフェース量ＴＬＶに従って、ＰＤが１つのＰＤインターフェースを含むか、２つのＰＤインターフェースを含むかを判定し、かつ
インターフェース量ＴＬＶに従って、ＰＤが１つだけのＰＤインターフェースを含むと判定された場合、そのことは、そのＰＤインターフェースが、図１に示されるように、第１のセットのケーブルペアと第２のセットのケーブルペアの両方に接続されることを示し、ＰＳＥは、従来の様態でＰＤを相手に電力ネゴシエーションを実行し、ＰＤに電力を供給することが可能であり、プロセスは、終了し、または
インターフェース量ＴＬＶに従って、ＰＤが２つのＰＤインターフェースを含むと判定された場合、そのことは、その２つのＰＤインターフェースが、第１のセットのケーブルペアと第２のセットのケーブルペアに別々に接続されることを示し、例えば、その２つのＰＤインターフェースは、第１のＰＤインターフェースおよび第２のＰＤインターフェースであり、図２または図３に示されるように、第１のＰＤインターフェースは、第１のセットのケーブルペアに接続され、第２のＰＤインターフェースは、第２のセットのケーブルペアに接続され、ステップ６０５に進む。
【００７０】
６０５：ＰＳＥが、負荷量ＴＬＶに従って、ＰＤが２つのＰＤ負荷を含むか、１つだけのＰＤ負荷を含むかを判定する。
【００７１】
ＰＳＥが、負荷量ＴＬＶに従って、ＰＤが２つのＰＤ負荷、例えば、第１のＰＤ負荷および第２のＰＤ負荷を含むと判定し、第１のＰＤ負荷が、第１のＰＤインターフェースに接続されて、第１のＰＤインターフェースから電力を獲得し、第２のＰＤ負荷が、第２のＰＤインターフェースに接続されて、第２のＰＤインターフェースから電力を獲得する場合、ステップ６０６からステップ６０８に進み、または
ＰＳＥが、負荷量ＴＬＶに従って、ＰＤが１つだけのＰＤ負荷を含むと判定し、そのＰＤ負荷が、第１のＰＤインターフェースと第２のＰＤインターフェースの両方に接続される場合、ステップ６０９に進む。
【００７２】
６０６：ＰＳＥは、電力リクエストＴＬＶに従って第１のセットのケーブルペアに第１の電力を割り当て、第２のセットのケーブルペアに第２の電力を割り当てる。
【００７３】
電力リクエストＴＬＶは、ＰＳＥからリクエストされる第１のセットのケーブルペアの第１の要求される電力および第２のセットのケーブルペアの第２の要求される電力を含む。
【００７４】
第１の電力と第２の電力は、互いに無関係であり、第１の電力と第２の電力は、同一でもよいし、異なっていてもよい。
【００７５】
第１の電力は通常、電力リクエストＴＬＶの中の第１の要求される電力以下であり、第２の電力は通常、電力リクエストＴＬＶの中の第２の要求される電力以下である。
【００７６】
６０７：ＰＳＥが、ＰＤに第２のＬＬＤＰＤＵを送信し、第２のＬＬＤＰＤＵは、電力割当てＴＬＶを含み、電力割当てＴＬＶは、ＰＳＥによって第１のセットのケーブルペアに割り当てられた第１の電力と、第２のセットのケーブルペアに割り当てられた第２の電力とを含む。
【００７７】
６０８：ＰＳＥが、第１のセットのケーブルペアを使用することによって第１の電力でＰＤに電力を供給し、第２のセットのケーブルペアを使用することによって第２の電力でＰＤに電力を供給する。
【００７８】
具体的には、ＰＳＥは、第１のセットのケーブルペアを使用することによって第１の電力で第１のＰＤ負荷に電力を供給し、第２のセットのケーブルペアを使用することによって第２の電力で第２のＰＤ負荷に電力を供給する。
【００７９】
６０９：ＰＳＥが、ＰＤの電力要件情報に従ってＰＤに電力を供給する。具体的には、ＰＳＥが、電力リクエストＴＬＶに従ってＰＤの電力要件情報を取得し、ＰＤの電力要件情報に従ってＰＤを相手に供給電力をネゴシエートし、ＰＤに電力を供給することは、以下を含む。すなわち、
電力リクエストＴＬＶが、第１のセットのケーブルペアの第１の要求される電力と、第２のセットのケーブルペアの第２の要求される電力とを含む場合、ステップ６１０からステップ６１２が実行され、または
電力リクエストＴＬＶが、イーサネットより対線の合計の要求される電力を含む場合、ステップ６１３からステップ６１５が実行され、または
電力リクエストＴＬＶが、第１のセットのケーブルペアのまたは第２のセットのケーブルペアの要求される電力を含む場合、ステップ６１６からステップ６１８が実行される。
【００８０】
６１０：ＰＳＥが、電力リクエストＴＬＶの中にある第１の要求される電力および第２の要求される電力に従って第１のセットのケーブルペアおよび第２のセットのケーブルペアに第３の電力を割り当てる。
【００８１】
具体的には、ＰＳＥは、電力リクエストＴＬＶの中でリクエストされた第１の要求される電力と第２の要求される電力が同一であるかを判定し、かつ
電力リクエストＴＬＶの中にある第１の要求される電力と第２の要求される電力が同一である場合、ＰＳＥは、電力リクエストＴＬＶの中の第１の要求される電力または第２の要求される電力に従って第１のセットのケーブルペアに第３の電力を割り当て、第２のセットのケーブルペアに第３の電力を割り当てることも行い、または
電力リクエストＴＬＶの中にある第１の要求される電力と第２の要求される電力が異なる場合、ＰＳＥは、第１の要求される電力と第２の要求される電力のうちの小さい方の要求される電力に従って第１のセットのケーブルペアおよび第２のセットのケーブルペアに第３の電力を割り当てる。
【００８２】
第３の電力は通常、第１の要求される電力、および第２の要求される電力以下であり、すなわち、第３の電力は、第１の要求される電力以下であるとともに、第２の要求される電力以下でなければならない。
【００８３】
６１１：ＰＳＥが、ＰＤに第３のＬＬＤＰＤＵを送信し、第３のＬＬＤＰＤＵは、電力割当てＴＬＶを含み、電力割当てＴＬＶは、ＰＳＥによって第１のセットのケーブルペアに割り当てられた第３の電力と、第２のセットのケーブルペアに割り当てられた第３の電力とを含む。
【００８４】
オプションとして、電力リクエストＴＬＶの中にある第１の要求される電力と第２の要求される電力が異なる場合、第３のＬＬＤＰＤＵは、電力リクエストＴＬＶの中でリクエストされた要求される電力の誤りをＰＤに示すのに使用される電力リクエスト誤り指示をさらに含む。
【００８５】
６１２：ＰＳＥが、第１のセットのケーブルペアと第２のセットのケーブルペアの両方を使用することによって第３の電力でＰＤに電力を供給する。
【００８６】
具体的には、ＰＳＥが、第１のセットのケーブルペアを使用することによって第３の電力でＰＤ負荷に電力を供給し、第２のセットのケーブルペアを使用することによって第３の電力でＰＤ負荷に電力を供給する。このようにして、ＰＤ負荷は、第１のセットのケーブルペアと第２のセットのケーブルペアの両方を使用することによって電力を獲得することが可能である。
【００８７】
６１３：ＰＳＥは、電力リクエストＴＬＶの中の合計の要求される電力に従ってイーサネットより対線に合計の電力を割り当てる。
【００８８】
その合計の電力は通常、電力リクエストＴＬＶの中の合計の要求される電力以下である。
【００８９】
６１４：ＰＳＥが、ＰＤに第４のＬＬＤＰＤＵを送信し、第４のＬＬＤＰＤＵは、電力割当てＴＬＶを含み、電力割当てＴＬＶは、ＰＳＥによってイーサネットより対線に割り当てられた合計の電力を含む。
【００９０】
６１５：ＰＳＥが、合計の電力に従ってＰＤに電力を供給する。
【００９１】
具体的には、電力リクエストＴＬＶの中の合計の要求される電力が、所与の電力値以下である場合、ＰＳＥは、第１のセットのケーブルペアだけを使用することによって、もしくは第２のセットのケーブルペアだけを使用することによって、または第１のセットのケーブルペアと第２のセットのケーブルペアの両方を使用することによって合計の電力でＰＤに電力を供給し、または
電力リクエストＴＬＶの中の合計の要求される電力が、所与の電力値を超えている場合、ＰＳＥは、第１のセットのケーブルペアと第２のセットのケーブルペアの両方を使用することによって合計の電力でＰＤに電力を供給する。
【００９２】
電力が、第１のセットのケーブルペアと第２のセットのケーブルペアの両方を使用することによって合計の電力でＰＤに供給される場合、第１のセットのケーブルペアの供給電力と第２のセットのケーブルペアの供給電力のそれぞれは、合計の電力の半分である。
【００９３】
所与の電力値は、レベル４における最大の電力であり、すなわち、ＰＳＥによって提供され得る最大の電力、３０Ｗである。もちろん、所与の電力値は、実際の場合に応じて別の値であってもよい。
【００９４】
６１６：ＰＳＥが、電力リクエストＴＬＶの中でリクエストされた、第１のセットのケーブルペアまたは第２のセットのケーブルペアの要求される電力に従って第１のセットのケーブルペアまたは第２のセットのケーブルペアに第４の電力を割り当てる。
【００９５】
このシナリオにおいて、そのことは、ＰＤによって要求される電力が、第１のセットのケーブルペアまたは第２のセットのケーブルペアを使用することによって電力が獲得される限り、レベル４における最大の電力未満であることを示す。
【００９６】
６１７：ＰＳＥが、ＰＤに第５のＬＬＤＰＤＵを送信し、第５のＬＬＤＰＤＵは、電力割当てＴＬＶを含み、電力割当てＬＴＶは、ＰＳＥによって第１のセットのケーブルペアまたは第２のセットのケーブルペアに割り当てられた第４の電力を含む。
【００９７】
６１８：ＰＳＥが、第１のセットのケーブルペアまたは第２のセットのケーブルペアを使用することによって第４の電力でＰＤに電力を供給する。
【００９８】
ＰＳＥが、本発明のこの実施形態において提供されるパワーオーバイーサネット方法に従って、４つのケーブルペアを使用することによって電力を供給することをサポートするシナリオに関して、ＬＬＤＰがさらに拡張される。ＰＤによって電力を受ける構成のステータス、およびＰＤインターフェースの量が、受電構成ＴＬＶを使用することによってＰＳＥに通知され、ＬＬＤＰＤＵの中で伝送されるインターフェース量ＴＬＶ、ならびに第１のセットのケーブルペアおよび第２のセットのケーブルペアの供給電力が、ＬＬＤＰＤＵの中で運ばれる電力リクエストＴＬＶを使用することによってＰＳＥを相手にネゴシエートされる。
【００９９】
本発明のこの方法において提供されるパワーオーバイーサネット方法によれば、ＰＳＥが、物理検出を通じて、第１のセットのケーブルペアと第２のセットのケーブルペアの両方が有効な受電デバイスに接続されていると判定する場合において、ＰＳＥは、第１のＬＬＤＰＤＵの中の受電構成ＴＬＶに従って、ＰＤが、第１のセットのケーブルペアと第２のセットのケーブルペアの両方から電力を受けるかを判定し、ＰＤが第１のセットのケーブルペアと第２のセットのケーブルペアの両方から電力を受けると判定された場合、ＰＳＥは、インターフェース量ＴＬＶに従って、ＰＤが２つのＰＤインターフェースを含むかどうかを判定し、ＰＤが２つのＰＤインターフェースを含むと判定された場合、ＰＳＥは、負荷量ＴＬＶに従って、ＰＤが１つのＰＤ負荷を含むか、２つのＰＤ負荷を含むかを判定し、ＰＤが２つのＰＤ負荷を含むと判定されたときは、ＰＳＥは、第１のセットのケーブルペアおよび第２のセットのケーブルペアを使用することによって、互いに無関係である電力でその２つのＰＤ負荷に電力を別々に供給し、ＰＤが１つだけのＰＤ負荷を含む場合、ＰＳＥは、ＰＤの電力要件情報に従って第１のセットのケーブルペアおよび／または第２のセットのケーブルペアを使用することによってそのＰＤ負荷に電力を供給する。したがって、電力が、ＰＤに正しく、効果的に供給できることが確実になる。
【０１００】
本発明の実施形態が、ＰＳＥを提供する。図７に示されるように、このＰＳＥは、第１の検出モジュール７０１と、受信モジュール７０２と、第１の判定モジュール７０３と、第１の電力供給モジュール７０４とを含む。ＰＳＥは、４つのケーブルペアを使用することによって電力を供給することをサポートする。
【０１０１】
第１の検出モジュール７０１は、イーサネットより対線の第１のセットのケーブルペアと第２のセットのケーブルペアの両方が有効な受電デバイスに接続されているかを検出し、判定するように構成される。
【０１０２】
具体的には、第１の検出モジュール７０１は、第１の検出電圧または第１の検出電流を、第１のセットのケーブルペアにそってピアエンドに送信し、第１のインピーダンスを獲得し、第２の検出電圧または第２の検出電流を、イーサネットより対線における第２のセットのケーブルペアにそってピアエンドに送信し、第２のインピーダンスを獲得し、第１のインピーダンスおよび第２のインピーダンスに従って、第１のセットのケーブルペアと第２のセットのケーブルペアの両方が有効な受電デバイスに接続されているかを判定するように構成される。具体的には、第１の検出モジュール７０１は、第１の検出電圧を、イーサネットより対線の中の第１のセットのケーブルペアにそってピアエンドに送信し、第１の検出電圧および第１のセットのケーブルペアから検出される電流に従って第１のインピーダンスを獲得し、第２の検出電圧を、イーサネットより対線の中の第２のセットのケーブルペアにそってピアエンドに送信し、第２の検出電圧および第２のセットのケーブルペアから検出される電流に従って第２のインピーダンスを獲得するように構成される。代替として、第１の検出モジュール７０１は、第１の検出電流を、イーサネットより対線の中の第１のセットのケーブルペアにそってピアエンドに送信し、第１の検出電流および第１のセットのケーブルペアから検出される電圧に従って第１のインピーダンスを獲得し、第２の検出電流を、イーサネットより対線の中の第２のセットのケーブルペアにそってピアエンドに送信し、第２の検出電流および第２のセットのケーブルペアから検出される電圧に従って第２のインピーダンスを獲得するように構成される。
【０１０３】
第１のインピーダンスが事前設定された範囲内にあり、第２のインピーダンスがその事前設定された範囲外にある場合、第１のセットのケーブルペアが有効な受電デバイスに接続されていると判定される。ＰＳＥは、デフォルトの電力で第１のセットのケーブルペア上だけで給電することが可能である。
【０１０４】
第２のインピーダンスが事前設定された範囲内にあり、第１のインピーダンスがその事前設定された範囲外にある場合、第２のセットのケーブルペアが有効な受電デバイスに接続されていると判定される。ＰＳＥは、デフォルトの電力で第２のセットのケーブルペア上だけで給電することが可能である。
【０１０５】
第１のインピーダンスと第２のインピーダンスがともに事前設定された範囲内にある場合、第１のセットのケーブルペアと第２のセットのケーブルペアがともに有効な受電デバイスに接続されていると判定される。ＰＳＥは、デフォルトの電力で第１のセットのケーブルペアと第２のセットのケーブルペアの両方の上で別々に給電することが可能である。
【０１０６】
デフォルトの電力は通常、レベル０にあり、デフォルトの電力がレベル０にある場合、ＰＳＥは、最小の電力を提供する。
【０１０７】
実際のアプリケーションにおいて、ピアエンドのＰＤによる接続のステータスが、第１のインピーダンスにおける抵抗値、第１のインピーダンスにおけるキャパシタンス値、第２のインピーダンスにおける抵抗値、および第２のインピーダンスにおけるキャパシタンス値に従って判定される必要がある場合、事前設定された範囲は、抵抗値範囲およびキャパシタンス値範囲を含む。
【０１０８】
実際のアプリケーションにおいて、ピアエンドのＰＤによる接続のステータスは、代替として、第１のインピーダンスにおける抵抗値、および第２のインピーダンスにおける抵抗値だけに従って判定されることが可能であり、この場合において、事前設定された範囲は、抵抗値範囲だけを含む。
【０１０９】
受信モジュール７０２は、ＰＤから第１のＬＬＤＰＤＵを受信するように構成され、第１のＬＬＤＰＤＵは、負荷量ＴＬＶを含み、負荷量ＴＬＶは、ＰＤに含まれるＰＤ負荷の量を通知するのに使用され、ＰＤは、イーサネットより対線を使用することによってＰＳＥに接続される。
【０１１０】
第１の判定モジュール７０３は、ＰＳＥが、ＰＤが第１のセットのケーブルペアと第２のセットのケーブルペアの両方から電力を受けると判定し、ＰＤが、２つのＰＤインターフェースを含む場合において、負荷量ＴＬＶに従って、ＰＤが、２つのＰＤ負荷を含むか、１つのＰＤ負荷を含むかを判定するように構成される。
【０１１１】
第１の電力供給モジュール７０４は、第１の判定モジュール７０３が、ＰＤが２つのＰＤ負荷を含むと判定した場合、第１のセットのケーブルペアを使用することによって第１の電力でＰＤに電力を供給し、第２のセットのケーブルペアを使用することによって第２の電力でＰＤに電力を供給するように構成され、第１の電力と第２の電力は、互いに無関係である。
【０１１２】
オプションとして、第１のＬＬＤＰＤＵは、電力リクエストＴＬＶをさらに含み、電力リクエストＴＬＶは、ＰＤの電力要件情報についてＰＳＥに通知するのに使用され、電力要件情報は、以下のうちのいずれか１つを含む。すなわち、
第１のセットのケーブルペアの要求される電力、
第２のセットのケーブルペアの要求される電力、
第１のセットのケーブルペアの要求される電力、および第２のセットのケーブルペアの要求される電力、ならびに
イーサネットより対線の合計の要求される電力。
【０１１３】
第１の電力供給モジュール７０４は、電力リクエストＴＬＶの中にある第１のセットのケーブルペアの第１の要求される電力、および第２のセットのケーブルペアの第２の要求される電力に従って第１のセットのケーブルペアに第１の電力を割り当て、第２のセットのケーブルペアに第２の電力を割り当て、ＰＤに第２のＬＬＤＰＤＵを送信するように特に構成され、第２のＬＬＤＰＤＵは、電力割当てＴＬＶを含み、電力割当てＴＬＶは、第１の電力と、第２の電力とを含む。電力リクエストＴＬＶは、第１のセットのケーブルペアの第１の要求される電力と、第２のセットのケーブルペアの第２の要求される電力とを含む。
【０１１４】
さらに、ＰＳＥは、第１の判定モジュール７０３が、ＰＤが１つだけのＰＤ負荷を含むと判定した場合、ＰＤの電力要件情報に従ってＰＤに電力を供給するように構成された第２の電力供給モジュール７０５をさらに含み得る。
【０１１５】
第１の可能な場合：電力リクエストＴＬＶは、第１のセットのケーブルペアの第１の要求される電力と、第２のセットのケーブルペアの第２の要求される電力とを含み、
相応して、第２の電力供給モジュール７０５は、電力リクエストＴＬＶの中にある第１の要求される電力および第２の要求される電力に従って第１のセットのケーブルペアおよび第２のセットのケーブルペアに第３の電力を割り当て、ＰＤに第３のＬＬＤＰＤＵを送信し、第３のＬＬＤＰＤＵは、電力割当てＴＬＶを含み、電力割当てＴＬＶは、ＰＳＥによって第１のセットのケーブルペアおよび第２のセットのケーブルペアに割り当てられた第３の電力を含み、第２の電力供給モジュール７０５は、第１のセットのケーブルペアと第２のセットのケーブルペアの両方を使用することによって第３の電力でＰＤに電力を供給して、ＰＤ負荷が、第１のセットのケーブルペアと第２のセットのケーブルペアの両方を使用することによって電力を獲得するようにするように特に構成される。
【０１１６】
第２の電力供給モジュールは、電力リクエストＴＬＶの中にある第１の要求される電力と第２の要求される電力が同一であるかを判定し、かつ電力リクエストＴＬＶの中にある第１の要求される電力と第２の要求される電力が同一である場合、電力リクエストＴＬＶの中の第１の要求される電力または第２の要求される電力に従って第１のセットのケーブルペアに第３の電力を割り当て、第２のセットのケーブルペアに第３の電力を割り当てることも行い、または電力リクエストＴＬＶの中にある第１の要求される電力と第２の要求される電力が異なる場合、第１の要求される電力と第２の要求される電力のうちの小さい方の要求される電力に従って第１のセットのケーブルペアおよび第２のセットのケーブルペアに第３の電力を割り当てるように特にさらに構成される。
【０１１７】
第３の電力は通常、第１の要求される電力、および第２の要求される電力以下である。
【０１１８】
オプションとして、電力リクエストＴＬＶの中にある第１の要求される電力と第２の要求される電力が異なる場合、第３のＬＬＤＰＤＵは、電力リクエストＴＬＶの中でリクエストされた要求される電力の誤りをＰＤに示すのに使用される電力リクエスト誤り指示をさらに含む。
【０１１９】
第２の可能な場合：電力リクエストＴＬＶが、イーサネットより対線の合計の要求される電力を含み、かつ
相応して、第２の電力供給モジュール７０５は、電力リクエストＴＬＶの中の合計の要求される電力に従ってイーサネットより対線に合計の電力を割り当て、ＰＤに第４のＬＬＤＰＤＵを送信し、第４のＬＬＤＰＤＵは、電力割当てＴＬＶを含み、電力割当てＴＬＶは、ＰＳＥによってイーサネットより対線に割り当てられた合計の電力を含み、第２の電力供給モジュール７０５は、電力リクエストＴＬＶの中の合計の要求される電力が、所与の電力値以下である場合、第１のセットのケーブルペアだけを使用することによって、または第２のセットのケーブルペアだけを使用することによって、もしくは第１のセットのケーブルペアと第２のセットのケーブルペアの両方を使用することによって合計の電力でＰＤに電力を供給し、または電力リクエストＴＬＶの中の合計の要求される電力が、所与の電力値を超えている場合、第１のセットのケーブルペアと第２のセットのケーブルペアの両方を使用することによって合計の電力でＰＤに電力を供給するように特に構成され、電力が、第１のセットのケーブルペアと第２のセットのケーブルペアの両方を使用することによって合計の電力でＰＤに供給される場合、第１のセットのケーブルペアの供給電力と第２のセットのケーブルペアの供給電力のそれぞれは、合計の電力の半分である。
【０１２０】
その合計の電力は通常、電力リクエストＴＬＶの中の合計の要求される電力以下である。
【０１２１】
所与の電力値は、レベル４における最大の電力であり、すなわち、ＰＳＥによって提供され得る最大の電力、３０Ｗである。もちろん、所与の電力値は、実際の場合に応じて別の値であってもよい。
【０１２２】
第３の可能な場合：電力リクエストＴＬＶが、第１のセットのケーブルペアまたは第２のセットのケーブルペアの要求される電力を含み、かつ、
相応して、第２の電力供給モジュール７０５は、電力ＴＬＶの中の第１のセットのケーブルペアまたは第２のセットのケーブルペアの要求される電力に従って第１のセットのケーブルペアまたは第２のセットのケーブルペアに第４の電力を割り当て、ＰＤに第５のＬＬＤＰＤＵを送信し、第５のＬＬＤＰＤＵは、電力割当てＴＬＶを含み、電力割当てＬＴＶは、ＰＳＥによって第１のセットのケーブルペアまたは第２のセットのケーブルペアに割り当てられた第４の電力を含み、第２の電力供給モジュール７０５は、第１のセットのケーブルペアまたは第２のセットのケーブルペアを使用することによって第４の電力でＰＤに電力を供給して、ＰＤ負荷が、第１のセットのケーブルペアまたは第２のセットのケーブルペアを使用することによって電力を獲得するようにするように特に構成される。
【０１２３】
この場合において、そのことは、ＰＤによって要求される電力が、第１のセットのケーブルペアまたは第２のセットのケーブルペアを使用することによって電力が獲得される限り、レベル４における最大の電力未満であることを示す。
【０１２４】
さらに、第１のＬＬＤＰは、受電構成ＴＬＶをさらに含むことが可能であり、受電構成ＴＬＶは、イーサネットより対線からの電力をＰＤによって受ける構成のステータスをＰＳＥに通知するのに使用され、そのステータスは、以下のうちのいずれか１つを含む。すなわち、
第１のセットのケーブルペアだけから電力を受けること、
第２のセットのケーブルペアだけから電力を受けること、および
第１のセットのケーブルペアと第２のセットのケーブルペアの両方から電力を受けること。
【０１２５】
ＰＳＥは、受電構成ＴＬＶに従って、ＰＤが第１のセットのケーブルペアと第２のセットのケーブルペアの両方から電力を受けるかを判定するように、すなわち、ＰＤによって電力を受ける構成のステータスを判定するように構成された第２の判定モジュールをさらに含み得る。受電構成ＴＬＶに従って、ＰＤが第１のセットのケーブルペアだけから電力を受けると判定された場合、イーサネットより対線は、Ｙタイプのイーサネットより対線であると判定されることが可能であり、ＰＤは、Ｙタイプのイーサネットより対線における第１のセットのケーブルペアだけを使用することによってＰＳＥに接続され、例えば、そのＰＤは、図４に示されるＰＤ４であり、または受電構成ＴＬＶに従って、ＰＤが第２のセットのケーブルペアだけから電力を受けると判定された場合、イーサネットより対線は、Ｙタイプのイーサネットより対線であると判定されることが可能であり、ＰＤは、Ｙタイプのイーサネットより対線における第２のセットのケーブルペアだけを使用することによってＰＳＥに接続され、例えば、そのＰＤは、図４に示されるＰＤ５であり、または受電構成ＴＬＶに従って、ＰＤが第１のセットのケーブルペアと第２のセットのケーブルペアの両方から電力を受けると判定された場合、イーサネットより対線は、標準タイプのイーサネットより対線であると判定されることが可能であり、ＰＤは、図１から図３のいずれか１つに示されるように、標準タイプのイーサネットより対線の中にある第１のセットのケーブルペアと第２のセットのケーブルペアの両方を使用することによってＰＳＥに接続される。
【０１２６】
オプションとして、第１のＬＬＤＰＤＵは、インターフェース量ＴＬＶをさらに含み、インターフェース量ＴＬＶは、ＰＤに含まれるＰＤインターフェースの量についてＰＳＥに通知するのに使用され、その量は、１または２であり得る。ＰＳＥは、第２の判定モジュールが、ＰＤが第１のセットのケーブルペアと第２のセットのケーブルペアの両方から電力を受けると判定すると、インターフェース量ＴＬＶに従って、ＰＤが２つのＰＤインターフェースを含むかを判定するように、すなわち、ＰＤが１つのＰＤインターフェースを含むか、２つのＰＤインターフェースを含むかを判定するように構成された第３の判定モジュールをさらに含み得る。インターフェース量ＴＬＶに従って、ＰＤが１つだけのＰＤインターフェースを含むと判定された場合、そのことは、そのＰＤインターフェースが、図１に示されるように、第１のセットのケーブルペアと第２のセットのケーブルペアの両方に接続されることを示す。インターフェース量ＴＬＶに従って、ＰＤが２つのＰＤインターフェースを含むと判定された場合、そのことは、その２つのＰＤインターフェースが、第１のセットのケーブルペアと第２のセットのケーブルペアに別々に接続されることを示す。例えば、その２つのＰＤインターフェースは、第１のＰＤインターフェースおよび第２のＰＤインターフェースであり、図２または図３に示されるように、第１のＰＤインターフェースは、第１のセットのケーブルペアに接続され、第２のＰＤインターフェースは、第２のセットのケーブルペアに接続される。
【０１２７】
本発明のこの実施形態において提供されるＰＳＥによれば、第１の検出モジュール７０１は、イーサネットより対線の第１のセットのケーブルペアと第２のセットのケーブルペアの両方が有効な受電デバイスに接続されていることを検出し、判定し、第１の判定モジュール７０３が、ＰＤが第１のセットのケーブルペアと第２のセットのケーブルペアの両方から電力を受けると判定し、ＰＤが、２つのＰＤインターフェースを含む場合において、第１の判定モジュール７０３は、受信モジュール７０２によって受信された第１のＬＬＤＰＤＵの中の負荷量ＴＬＶに従って、ＰＤが、１つのＰＤ負荷を含むか、２つのＰＤ負荷を含むかを判定して、ＰＤの設計タイプが判定されるようにする。第１の判定モジュール７０３が、ＰＤが２つのＰＤ負荷を含むと判定すると、第１の電力供給モジュール７０４は、第１のセットのケーブルペアおよび第２のセットのケーブルペアを使用することによって、互いに無関係である電力でその２つのＰＤ負荷に電力を別々に供給する。したがって、電力が、ＰＤに正しく、効果的に供給され得ることが確実にされる。
【０１２８】
本発明の実施形態が、別のＰＳＥを提供する。図８に示されるように、このＰＳＥは、ＰＳＥチップ８０１と、プロセッサ８０２と、電力入力端子８０３とを含む。
【０１２９】
このＰＳＥは、４ペアのケーブルを使用することによって電力を供給することをサポートする。
【０１３０】
電力入力端子８０３は、ＲＪ−４５コネクタとも呼ばれる８Ｐ８Ｃモジュラコネクタである。
【０１３１】
ＰＳＥチップ８０１は、イーサネットより対線の第１のセットのケーブルペアと第２のセットのケーブルペアの両方が有効な受電デバイスに接続されているかを検出するように構成される。
【０１３２】
具体的には、ＰＳＥチップ８０１は、第１の検出電圧または第１の検出電流を、イーサネットより対線における第１のセットのケーブルペアにそってピアエンドに送信し、第１のインピーダンスを獲得し、第２の検出電圧または第２の検出電流を、イーサネットより対線における第２のセットのケーブルペアにそってピアエンドに送信し、第２のインピーダンスを獲得し、第１のインピーダンスと第２のインピーダンスの両方が、事前設定された範囲内にある場合、第１のセットのケーブルペアと第２のセットのケーブルペアの両方が有効な受電デバイスに接続されていると判定する。
【０１３３】
可能な実施様態において、ＰＳＥチップ８０１が、第１の検出電圧を、イーサネットより対線における第１のセットのケーブルペアにそってピアエンドに送信し、第１の検出電圧、および第１のセットのケーブルペアから検出された電流に従って第１のインピーダンスを獲得し、第２の検出電圧を、イーサネットより対線における第２のセットのケーブルペアにそってピアエンドに送信し、第２の検出電圧、および第２のセットのケーブルペアから検出された電流に従って第２のインピーダンスを獲得する。
【０１３４】
別の可能な実施様態において、ＰＳＥチップ８０１は、第１の検出電流を、イーサネットより対線における第１のセットのケーブルペアにそってピアエンドに送信して、第１の検出電流、および第１のセットのケーブルペアから検出された電圧に従って第１のインピーダンスを獲得し、第２の検出電流を、イーサネットより対線における第２のセットのケーブルペアにそってピアエンドに送信して、第２の検出電流、および第２のセットのケーブルペアから検出された電圧に従って第２のインピーダンスを獲得する。
【０１３５】
プロセッサ８０２は、ＰＤから第１のＬＬＤＰＤＵを受信するように構成され、第１のＬＬＤＰＤＵは、負荷量ＴＬＶを含み、負荷量ＴＬＶは、ＰＤに含まれるＰＤ負荷の量を通知するのに使用され、プロセッサ８０２は、ＰＤが、第１のセットのケーブルペアと第２のセットのケーブルペアの両方から電力を受け、ＰＤが、２つのＰＤインターフェースを含む場合において、負荷量ＴＬＶに従って、ＰＤが２つのＰＤ負荷を含むかを判定し、ＰＤが２つのＰＤ負荷を含む場合において、第１のセットのケーブルペアを使用することによって第１の電力でＰＤに電力を供給し、第２のセットのケーブルペアを使用することによって第２の電力でＰＤに電力を供給するようＰＳＥチップ８０１を制御するように構成され、第１の電力と第２の電力は、互いに無関係である。
【０１３６】
具体的には、図８に示されるように、変圧器の１つのインダクタの２つの終端が、イーサネットより対線の８Ｐ８Ｃモジュラコネクタにおける２つの接点に接続され、変圧器の別のインダクタの２つの終端が、データ処理チップに接続されて、データ信号を受信するようにされる。プロセッサ８０２が、データ処理チップを使用することによって電力入力端子８０３から第１のＬＬＤＰＤＵを受信する。ＰＤは、イーサネットより対線を使用することによって電力入力端子８０３に接続されて、ＰＳＥに接続されるようになる。
【０１３７】
オプションとして、第１のＬＬＤＰＤＵは、電力リクエストＴＬＶをさらに含み、電力リクエストＴＬＶは、ＰＤの電力要件情報についてイーサネット給電機器に通知するのに使用され、その電力要件情報は、以下のうちのいずれか１つを含む。すなわち、
第１のセットのケーブルペアの要求される電力、
第２のセットのケーブルペアの要求される電力、
第１のセットのケーブルペアの要求される電力、および第２のセットのケーブルペアの要求される電力、ならびに
イーサネットより対線の合計の要求される電力。
【０１３８】
プロセッサ８０２は、ＰＤが２つのＰＤ負荷を含むと判定された場合に、電力リクエストＴＬＶに従って第１のセットのケーブルペアに第１の電力を割り当て、第２のセットのケーブルペアに第２の電力を割り当て、電力リクエストＴＬＶは第１のセットのケーブルペアの第１の要求される電力と第２のセットのケーブルペアの第２の要求される電力とを含み、ＰＤに第２のＬＬＤＰＤＵを送信し、第２のＬＬＤＰＤＵは、電力割当てＴＬＶを含み、電力割当てＴＬＶは、第１のセットのケーブルペアに割り当てられた第１の電力と、第２のセットのケーブルペアに割り当てられた第２の電力とを含み、第１のセットのケーブルペアを使用することによって第１の電力でＰＤに電力を供給し、第２のセットのケーブルペアを使用することによって第２の電力でＰＤに電力を供給するようにＰＳＥチップ８０１を制御するように特に構成される。
【０１３９】
さらに、プロセッサ８０２は、ＰＤが１つだけのＰＤ負荷を含むと判定される場合において、ＰＤの電力要件情報に従ってＰＤに電力を供給するようにさらに構成され、このことは、以下のいくつかの可能な場合を特に含む。すなわち、
第１の可能な場合：電力リクエストＴＬＶが、第１のセットのケーブルペアの第１の要求される電力と、第２のセットのケーブルペアの第２の要求される電力とを含み、
プロセッサ８０２は、電力リクエストＴＬＶの中にある第１の要求される電力および第２の要求される電力に従って第１のセットのケーブルペアおよび第２のセットのケーブルペアに第３の電力を割り当て、ＰＤに第３のＬＬＤＰＤＵを送信し、第３のＬＬＤＰＤＵは、電力割当てＴＬＶを含み、電力割当てＴＬＶは、第１のセットのケーブルペアおよび第２のセットのケーブルペアに割り当てられた第３の電力を含み、第１のセットのケーブルペアと第２のセットのケーブルペアの両方を使用することによって第３の電力でＰＤに電力を供給するようＰＳＥチップ８０１を制御するように特に構成される。
【０１４０】
オプションとして、プロセッサ８０２は、電力リクエストＴＬＶの中にある第１の要求される電力と第２の要求される電力が同一であるかを判定し、かつ電力リクエストＴＬＶの中にある第１の要求される電力と第２の要求される電力が同一である場合、電力リクエストＴＬＶの中の第１の要求される電力または第２の要求される電力に従って第１のセットのケーブルペアに第３の電力を割り当て、第２のセットのケーブルペアに第３の電力を割り当てることも行い、または電力リクエストＴＬＶの中にある第１の要求される電力と第２の要求される電力が異なる場合、第１の要求される電力と第２の要求される電力の小さい方の要求される電力に従って第１のセットのケーブルペアおよび第２のセットのケーブルペアに第３の電力を割り当てるように特にさらに構成される。
【０１４１】
第３の電力は、通常、第１の要求される電力、および第２の要求される電力以下である。
【０１４２】
オプションとして、電力リクエストＴＬＶの中にある第１の要求される電力と第２の要求される電力が異なる場合、第３のＬＬＤＰＤＵは、電力リクエストＴＬＶの中でリクエストされた要求される電力の誤りをＰＤに示すのに使用される電力リクエスト誤り指示をさらに含む。
【０１４３】
第２の可能な場合：電力リクエストＴＬＶが、イーサネットより対線の合計の要求される電力を含み、
プロセッサ８０２は、電力リクエストＴＬＶの中の合計の要求される電力に従ってイーサネットより対線に合計の電力を割り当て、ＰＤに第４のＬＬＤＰＤＵを送信し、第４のＬＬＤＰＤＵは、電力割当てＴＬＶを含み、電力割当てＴＬＶは、イーサネットより対線に割り当てられた合計の電力を含み、プロセッサ８０２は、電力リクエストＴＬＶの中の合計の要求される電力が、所与の電力値以下である場合、第１のセットのケーブルペアだけを使用することによって、または第２のセットのケーブルペアだけを使用することによって、または第１のセットのケーブルペアと第２のセットのケーブルペアの両方を使用することによって合計の電力でＰＤに電力を供給するようＰＳＥチップ８０１を制御し、またはプロセッサ８０２は、電力リクエストＴＬＶの中の合計の要求される電力が、所与の電力値を超えている場合、第１のセットのケーブルペアと第２のセットのケーブルペアの両方を使用することによって合計の電力でＰＤに電力を供給するようＰＳＥチップ８０１を制御するように特に構成され、電力が、第１のセットのケーブルペアと第２のセットのケーブルペアの両方を使用することによって合計の電力でＰＤに供給される場合、第１のセットのケーブルペアの供給電力と第２のセットのケーブルペアの供給電力のそれぞれは、合計の電力の半分である。
【０１４４】
その合計の電力は、通常、電力リクエストＴＬＶの中の合計の要求される電力以下である。
【０１４５】
所与の電力値は、レベル４における最大の電力であり、すなわち、ＰＳＥによって提供され得る最大の電力、３０Ｗである。もちろん、所与の電力値は、実際の場合に応じて別の値であってもよい。
【０１４６】
第３の可能な場合：電力リクエストＴＬＶが、第１のセットのケーブルペアまたは第２のセットのケーブルペアの要求される電力を含み、かつ、
プロセッサ８０２は、電力ＴＬＶの中の第１のセットのケーブルペアまたは第２のセットのケーブルペアの要求される電力に従って第１のセットのケーブルペアまたは第２のセットのケーブルペアに第４の電力を割り当て、ＰＤに第５のＬＬＤＰＤＵを送信し、第５のＬＬＤＰＤＵは、電力割当てＴＬＶを含み、電力割当てＬＴＶは、第１のセットのケーブルペアまたは第２のセットのケーブルペアに割り当てられた第４の電力を含み、第１のセットのケーブルペアまたは第２のセットのケーブルペアを使用することによって第４の電力でＰＤに電力を供給するようＰＳＥチップ８０１を制御するように特に構成される。
【０１４７】
さらに、第１のＬＬＤＰは、受電構成ＴＬＶをさらに含むことが可能であり、受電構成ＴＬＶは、イーサネットより対線からの電力をＰＤによって受ける構成のステータスをＰＳＥに通知するのに使用され、そのステータスは、以下のうちのいずれか１つを含む。すなわち、
第１のセットのケーブルペアだけから電力を受けること、
第２のセットのケーブルペアだけから電力を受けること、および
第１のセットのケーブルペアと第２のセットのケーブルペアの両方から電力を受けること。
【０１４８】
プロセッサ８０２は、受電構成ＴＬＶに従って、ＰＤが第１のセットのケーブルペアと第２のセットのケーブルペアの両方から電力を受けるかを判定するように、すなわち、ＰＤによって電力を受ける構成のステータスを判定するようにさらに構成される。受電構成ＴＬＶに従って、ＰＤが第１のセットのケーブルペアだけから電力を受けると判定された場合、イーサネットより対線は、Ｙタイプのイーサネットより対線であると判定され、ＰＤは、Ｙタイプのイーサネットより対線における第１のセットのケーブルペアだけを使用することによってＰＳＥに接続され、例えば、そのＰＤは、図４に示されるＰＤ４であり、または受電構成ＴＬＶに従って、ＰＤが第２のセットのケーブルペアだけから電力を受けると判定された場合、イーサネットより対線は、Ｙタイプのイーサネットより対線であると判定され、ＰＤは、Ｙタイプのイーサネットより対線における第２のセットのケーブルペアだけを使用することによってＰＳＥに接続され、例えば、そのＰＤは、図４に示されるＰＤ５であり、または受電構成ＴＬＶに従って、ＰＤが第１のセットのケーブルペアと第２のセットのケーブルペアの両方から電力を受けると判定された場合、イーサネットより対線は、標準タイプのイーサネットより対線であると判定され、ＰＤは、図１から図３のいずれか１つに示されるように、標準タイプのイーサネットより対線の中にある第１のセットのケーブルペアと第２のセットのケーブルペアの両方を使用することによってＰＳＥに接続される。
【０１４９】
さらに、第１のＬＬＤＰＤＵは、インターフェース量ＴＬＶをさらに含むことが可能であり、インターフェース量ＴＬＶは、ＰＤに含まれるＰＤインターフェースの量についてＰＳＥに通知するのに使用され、その量は、１または２であり得る。
【０１５０】
プロセッサ８０２は、ＰＤが第１のセットのケーブルペアと第２のセットのケーブルペアの両方から電力を受けると判定されると、インターフェース量ＴＬＶに従って、ＰＤが２つのＰＤインターフェースを含むかを判定するように、すなわち、ＰＤが１つのＰＤインターフェースを含むか、２つのＰＤインターフェースを含むかを判定するようにさらに構成され得る。インターフェース量ＴＬＶに従って、ＰＤが、１つだけのＰＤインターフェースを含むと判定された場合、そのことは、そのＰＤインターフェースが、図１に示されるように、第１のセットのケーブルペアと第２のセットのケーブルペアの両方に接続されることを示す。インターフェース量ＴＬＶに従って、ＰＤが２つのＰＤインターフェースを含むと判定された場合、そのことは、その２つのＰＤインターフェースが第１のセットのケーブルペアと第２のセットのケーブルペアに別々に接続されることを示す。例えば、２つのＰＤインターフェースが、第１のＰＤインターフェースおよび第２のＰＤインターフェースである場合、図２または図３に示されるように、第１のＰＤインターフェースは、第１のセットのケーブルペアに接続され、第２のＰＤインターフェースは、第２のセットのケーブルペアに接続される。
【０１５１】
プロセッサ８０２は、中央処理装置（Central Processing Unit、略してＣＰＵ）、ネットワークプロセッサ（Network Processor、略してＮＰ）などを含む汎用プロセッサであることが可能であり、またはデジタルシグナルプロセッサ（ＤＳＰ）、特定用途向け集積回路（ＡＳＩＣ）、フィールドプログラマブルゲートアレイ（ＦＰＧＡ）、または別のプログラマブル論理デバイスであることが可能である。
【０１５２】
本発明のこの実施形態において提供されるＰＳＥによれば、ＰＳＥチップ８０１が、イーサネットより対線の第１のセットのケーブルペアと第２のセットのケーブルペアの両方が有効な受電デバイスに接続されていることを検出し、判定する場合において、プロセッサ８０２が、ＰＤが第１のセットのケーブルペアと第２のセットのケーブルペアの両方から電力を受けると判定し、ＰＤが、２つのＰＤインターフェースを含む場合、プロセッサ８０２は、受信された第１のＬＬＤＰＤＵの中の負荷量ＴＬＶに従って、ＰＤが１つのＰＤ負荷を含むか、２つのＰＤ負荷を含むかを判定して、ＰＤの設計タイプが判定されるようにする。ＰＤが２つのＰＤ負荷を含むと判定されると、プロセッサ８０２は、第１のセットのケーブルペアと第２のセットのケーブルペアを使用することによって、互いに無関係である電力でその２つのＰＤ負荷に電力を別々に供給するようＰＳＥチップ８０１を制御する。したがって、電力が、ＰＤに正しく、効果的に供給され得ることが確実にされる。
【０１５３】
本発明の実施形態は、パワーオーバイーサネットシステムを提供する。図９に示されるように、このシステムは、ＰＤ９０１と、ＰＳＥ９０２を含む。
【０１５４】
ＰＳＥ９０２は、４ペアのケーブルを使用することによって電力を供給することをサポートし、ＰＤ９０１は、イーサネットより対線を使用することによってＰＳＥ９０２に接続される。
【０１５５】
ＰＳＥは、ネットワークデバイス、例えば、スイッチであり得る。
【０１５６】
ＰＳＥ９０２は、イーサネットより対線の第１のセットのケーブルペアと第２のセットのケーブルペアの両方が有効な受電デバイスに接続されていることを検出し、判定するように構成される。
【０１５７】
具体的には、ＰＳＥ９０２は、第１の検出電圧または第１の検出電流を、第１のセットのケーブルペアにそってピアエンドに送信して、第１のインピーダンスを獲得し、第２の検出電圧または第２の検出電流を、イーサネットより対線における第２のセットのケーブルペアにそってピアエンドに送信し、第２のインピーダンスを獲得し、第１のインピーダンスと第２のインピーダンスの両方が、事前設定された範囲内にある場合、第１のセットのケーブルペアと第２のセットのケーブルペアの両方が有効な受電デバイスに接続されていると判定する。
【０１５８】
ＰＳＥ９０２は、ＰＤ９０１から第１のＬＬＤＰＤＵを受信するようにさらに構成され、第１のＬＬＤＰＤＵは、負荷量ＴＬＶを含み、負荷量ＴＬＶは、ＰＤ９０１に含まれるＰＤ負荷の量を通知するのに使用され、ＰＤ９０１が、第１のセットのケーブルペアと第２のセットのケーブルペアの両方から電力を受け、ＰＤ９０１が２つのＰＤインターフェースを含む場合において、負荷量ＴＬＶに従って、ＰＤ９０１が２つのＰＤ負荷を含むかを判定し、ＰＤ９０１が２つのＰＤ負荷を含むと判定された場合、第１のセットのケーブルペアを使用することによって第１の電力でＰＤ９０１に電力を供給し、第２のセットのケーブルペアを使用することによって第２の電力でＰＤ９０１に電力を供給するようにさらに構成され、第１の電力と第２の電力は、互いに無関係であり、またはＰＤ９０１が１つだけのＰＤ負荷を含むと判定された場合、ＰＤ９０１の電力要件情報に従ってＰＤ９０１に電力を供給するようにさらに構成される。
【０１５９】
ＰＤ９０１は、ＰＳＥ９０２に第１のＬＬＤＰＤＵを送信するように構成される。
【０１６０】
オプションとして、第１のＬＬＤＰＤＵは、電力リクエストＴＬＶをさらに含み、電力リクエストＴＬＶは、ＰＤ９０１の電力要件情報についてＰＳＥ９０２に通知するのに使用され、電力要件情報は、以下のうちのいずれか１つを含む。すなわち、
第１のセットのケーブルペアの要求される電力、
第２のセットのケーブルペアの要求される電力、
第１のセットのケーブルペアの要求される電力、および第２のセットのケーブルペアの要求される電力、ならびに
イーサネットより対線の合計の要求される電力。
【０１６１】
ＰＳＥ９０２は、ＰＤ９０１が２つのＰＤ負荷を含むと判定された場合、電力リクエストＴＬＶに従って第１のセットのケーブルペアに第１の電力を割り当て、第２のセットのケーブルペアに第２の電力を割り当て、電力リクエストＴＬＶは、第１のセットのケーブルペアの第１の要求される電力と、第２のセットのケーブルペアの第２の要求される電力とを含み、ＰＤ９０１に第２のＬＬＤＰＤＵを送信し、第２のＬＬＤＰＤＵは、電力割当てＴＬＶを含み、電力割当てＴＬＶは、第１の電力と第２の電力とを含み、第１のセットのケーブルペアを使用することによって第１の電力でＰＤ９０１に電力を供給し、第２のセットのケーブルペアを使用することによって第２の電力でＰＤ９０１に電力を供給するように特に構成される。
【０１６２】
ＰＤ９０１は、ＰＳＥ９０２によって送信された第２のＬＬＤＰＤＵを受信するのにさらに使用される。
【０１６３】
ＰＤ９０１が１つだけのＰＤ負荷を含むと判定されると、ＰＳＥ９０２は、ＰＤの電力要件情報に従ってＰＤに電力を供給し、このことは、以下のいくつかの可能な場合を特に含む。すなわち、
第１の可能な場合：電力リクエストＴＬＶが、第１のセットのケーブルペアの第１の要求される電力と、第２のセットのケーブルペアの第２の要求される電力とを含み、
ＰＳＥ９０２は、電力リクエストＴＬＶの中にある第１の要求される電力および第２の要求される電力に従って第１のセットのケーブルペアおよび第２のセットのケーブルペアに第３の電力を割り当て、ＰＤ９０１に第３のＬＬＤＰＤＵを送信し、第３のＬＬＤＰＤＵは、電力割当てＴＬＶを含み、電力割当てＴＬＶは、ＰＳＥによって第１のセットのケーブルペアおよび第２のセットのケーブルペアに割り当てられた第３の電力を含み、第１のセットのケーブルペアと第２のセットのケーブルペアの両方を使用することによって第３の電力でＰＤ９０１に電力を供給して、ＰＤ負荷が、第１のセットのケーブルペアと第２のセットのケーブルペアの両方を使用することによって電力を獲得するようにするように特に構成される。
【０１６４】
ＰＳＥ９０２は、電力リクエストＴＬＶの中にある第１の要求される電力と第２の要求される電力が同一であるかどうかを判定し、かつ電力リクエストＴＬＶの中にある第１の要求される電力と第２の要求される電力が同一である場合、電力リクエストＴＬＶの中の第１の要求される電力または第２の要求される電力に従って第１のセットのケーブルペアに第３の電力を割り当て、第２のセットのケーブルペアに第３の電力を割り当てることも行い、または電力リクエストＴＬＶの中にある第１の要求される電力と第２の要求される電力が異なる場合、第１の要求される電力と第２の要求される電力の小さい方の要求される電力に従って第１のセットのケーブルペアおよび第２のセットのケーブルペアに第３の電力を割り当てるように特にさらに構成される。
【０１６５】
第３の電力は、通常、第１の要求される電力、および第２の要求される電力以下である。
【０１６６】
オプションとして、電力リクエストＴＬＶの中にある第１の要求される電力と第２の要求される電力が異なる場合、第３のＬＬＤＰＤＵは、電力リクエストＴＬＶの中でリクエストされた要求される電力の誤りをＰＤ９０１に示すのに使用される電力リクエスト誤り指示をさらに含む。
【０１６７】
ＰＤ９０１は、ＰＳＥ９０２によって送信された第３のＬＬＤＰＤＵを使用するのにさらに使用される。
【０１６８】
第２の可能な場合：電力リクエストＴＬＶが、イーサネットより対線の合計の要求される電力を含み、
ＰＳＥ９０２は、電力リクエストＴＬＶの中の合計の要求される電力に従ってイーサネットより対線に合計の電力を割り当て、ＰＤ９０１に第４のＬＬＤＰＤＵを送信し、第４のＬＬＤＰＤＵは、電力割当てＴＬＶを含み、電力割当てＴＬＶは、ＰＳＥによってイーサネットより対線に割り当てられた合計の電力を含み、電力リクエストＴＬＶの中の合計の要求される電力が、所与の電力値以下である場合、第１のセットのケーブルペアだけを使用することによって、または第２のセットのケーブルペアだけを使用することによって、または第１のセットのケーブルペアと第２のセットのケーブルペアの両方を使用することによって合計の電力でＰＤ９０１に電力を供給し、または、電力リクエストＴＬＶの中の合計の要求される電力が、所与の電力値を超えている場合、第１のセットのケーブルペアと第２のセットのケーブルペアの両方を使用することによって合計の電力でＰＤ９０１に電力を供給するように特に構成される。
【０１６９】
電力が、第１のセットのケーブルペアと第２のセットのケーブルペアの両方を使用することによって合計の電力でＰＤ９０１に供給される場合、第１のセットのケーブルペアの供給電力と第２のセットのケーブルペアの供給電力のそれぞれは、合計の電力の半分である。
【０１７０】
その合計の電力は通常、電力リクエストＴＬＶの中の合計の要求される電力以下である。
【０１７１】
所与の電力値は、レベル４における最大の電力であり、すなわち、ＰＳＥによって提供され得る最大の電力、３０Ｗである。もちろん、所与の電力値は、実際の場合に応じて別の値であってもよい。
【０１７２】
ＰＤ９０１は、ＰＳＥ９０２によって送信された第４のＬＬＤＰＤＵを受信するのにさらに使用される。
【０１７３】
第３の可能な場合：電力リクエストＴＬＶが、第１のセットのケーブルペアまたは第２のセットのケーブルペアの要求される電力を含み、かつ、
ＰＳＥ９０２は、電力リクエストＴＬＶの中の第１のセットのケーブルペアまたは第２のセットのケーブルペアの要求される電力に従って第１のセットのケーブルペアまたは第２のセットのケーブルペアに第４の電力を割り当て、ＰＤ９０１に第５のＬＬＤＰＤＵを送信し、第５のＬＬＤＰＤＵは、電力割当てＴＬＶを含み、電力割当てＴＬＶは、ＰＳＥによって第１のセットのケーブルペアまたは第２のセットのケーブルペアに割り当てられた第４の電力を含み、第１のセットのケーブルペアまたは第２のセットのケーブルペアを使用することによって第４の電力でＰＤ９０１に電力を供給して、ＰＤ負荷が、第１のセットのケーブルペアまたは第２のセットのケーブルペアを使用することによって電力を獲得するようにするように特に構成される。
【０１７４】
この場合において、そのことは、ＰＤ９０１によって要求される電力が、第１のセットのケーブルペアまたは第２のセットのケーブルペアを使用することによって電力が獲得される限り、レベル４における最大の電力未満であることを示す。
【０１７５】
さらに、第１のＬＬＤＰは、受電構成ＴＬＶをさらに含むことが可能であり、受電構成ＴＬＶは、イーサネットより対線からの電力をＰＤ９０１によって受ける構成のステータスをＰＳＥ９０２に通知するのに使用され、そのステータスは、以下のうちのいずれか１つを含む。すなわち、
第１のセットのケーブルペアだけから電力を受けること、
第２のセットのケーブルペアだけから電力を受けること、および
第１のセットのケーブルペアと第２のセットのケーブルペアの両方から電力を受けること。
【０１７６】
ＰＳＥ９０２は、受電構成ＴＬＶに従って、ＰＤ９０１が第１のセットのケーブルペアと第２のセットのケーブルペアの両方から電力を受けるかを判定するように、すなわち、ＰＤ９０１によって電力を受ける構成のステータスを判定するようにさらに構成される。受電構成ＴＬＶに従って、ＰＤ９０１が第１のセットのケーブルペアだけから電力を受けると判定された場合、イーサネットより対線は、Ｙタイプのイーサネットより対線であると判定されることが可能であり、ＰＤ９０１は、Ｙタイプのイーサネットより対線における第１のセットのケーブルペアだけを使用することによってＰＳＥ９０２に接続され、例えば、そのＰＤは、図４に示されるＰＤ４であり、または受電構成ＴＬＶに従って、ＰＤ９０１が第２のセットのケーブルペアだけから電力を受けると判定された場合、イーサネットより対線は、Ｙタイプのイーサネットより対線であると判定されることが可能であり、ＰＤ９０１は、Ｙタイプのイーサネットより対線における第２のセットのケーブルペアだけを使用することによってＰＳＥ９０２に接続され、例えば、そのＰＤは、図４に示されるＰＤ５であり、または受電構成ＴＬＶに従って、ＰＤ９０１が第１のセットのケーブルペアと第２のセットのケーブルペアの両方から電力を受けると判定された場合、イーサネットより対線は、標準タイプのイーサネットより対線であると判定されることが可能であり、ＰＤ９０１は、図１から図３のいずれか１つに示されるように、標準タイプのイーサネットより対線の中にある第１のセットのケーブルペアと第２のセットのケーブルペアの両方を使用することによってＰＳＥ９０２に接続される。
【０１７７】
さらに、第１のＬＬＤＰは、インターフェース量ＴＬＶをさらに含み、インターフェース量ＴＬＶは、ＰＤ９０１に含まれるＰＤインターフェースの量についてＰＳＥ９０２に通知するのに使用され、その量は、１または２であり得る。
【０１７８】
ＰＳＥ９０２は、ＰＤ９０１が第１のセットのケーブルペアと第２のセットのケーブルペアの両方から電力を受けると判定された場合、インターフェース量ＴＬＶに従って、ＰＤ９０１が２つのＰＤインターフェースを含むかを判定するように、すなわち、ＰＤ９０１が１つのＰＤインターフェースを含むか、２つのＰＤインターフェースを含むかを判定するようにさらに構成され得る。インターフェース量ＴＬＶに従って、ＰＤ９０１が１つだけのＰＤインターフェースを含むと判定された場合、そのことは、そのＰＤインターフェースが、図１に示されるように、第１のセットのケーブルペアと第２のセットのケーブルペアの両方に接続されることを示す。インターフェース量ＴＬＶに従って、ＰＤ９０１が２つのＰＤインターフェースを含むと判定された場合、そのことは、その２つのＰＤインターフェースが、第１のセットのケーブルペアと第２のセットのケーブルペアに別々に接続されることを示す。例えば、その２つのＰＤインターフェースは、第１のＰＤインターフェースおよび第２のＰＤインターフェースであり、図２または図３に示されるように、第１のＰＤインターフェースは、第１のセットのケーブルペアに接続され、第２のＰＤインターフェースは、第２のセットのケーブルペアに接続される。
【０１７９】
この実施形態において説明されない詳細については、本発明における図５から図８を参照することが可能であり、本明細書で詳細について再び説明することはしない。
【０１８０】
本発明のこの実施形態において提供されるパワーオーバイーサネットシステムによれば、ＰＳＥ９０２が、イーサネットより対線の第１のセットのケーブルペアと第２のセットのケーブルペアの両方が有効な受電デバイスに接続されていることを検出して、判定し、ＰＤ９０１によって送信された第１のＬＬＤＰＤＵを受信し、ＰＤが第１のセットのケーブルペアと第２のセットのケーブルペアの両方から電力を受けると判定され、ＰＤ９０１が、２つのＰＤインターフェースを含む場合において、ＰＳＥ９０２は、負荷量ＴＬＶに従って、ＰＤが１つのＰＤ負荷を含むか、２つのＰＤ負荷を含むかを判定して、ＰＤ９０１の設計タイプが判定されるようにする。ＰＤが２つのＰＤ負荷を含むと判定されると、ＰＳＥ９０２は、第１のセットのケーブルペアおよび第２のセットのケーブルペアを使用することによって、互いに無関係である電力でその２つのＰＤ負荷に電力を別々に供給する。したがって、電力が、ＰＤ９０１に正しく、効果的に供給され得ることが確実にされる。
【０１８１】
以上の説明は、本発明の単に例示的な特定の実施様態であり、本発明の保護範囲を限定することは意図されていない。本発明において開示される技術範囲内で当業者によって容易に考案されるいずれの変形または置換も、本発明の保護範囲内に入るものとする。したがって、本発明の保護範囲は、特許請求の範囲の保護範囲の対象とされるべきものとする。
【図１】
2016181253.tif 000003
【図２】
2016181253.tif 000004
【図３】
2016181253.tif 000005
【図４】
2016181253.tif 000006
【図５】
2016181253.tif 000007
【図６】
2016181253.tif 000008
【図７】
2016181253.tif 000009
【図８】
2016181253.tif 000010
【図９】
2016181253.tif 000011
【外国語明細書】
2016181253000001.pdf